(57)【要約】  本技術は、より容易にイベントの内容を使った金額とともに振り返ることができるようにする情報処理装置、情報処理方法、及びプログラムに関する。ユーザの貯蓄又は決済に関する貯蓄決済情報、及びユーザの行動に応じた行動履歴情報に基づいて、イベントごとに、そのイベントでの入出金に関する入出金情報と、入出金に関連する関連情報を時系列で表示する制御を行う表示制御部を備える情報処理装置が提供される。本技術は、例えば、スマートフォン等の携帯端末に適用することができる。
2020039957.tif 000002
【特許請求の範囲】
【請求項１】
ユーザの貯蓄又は決済に関する貯蓄決済情報、及び前記ユーザの行動に応じた行動履歴情報に基づいて、イベントごとに、そのイベントでの入出金に関する入出金情報と、前記入出金に関連する関連情報を時系列で表示する制御を行う表示制御部を備える
情報処理装置。
【請求項２】
前記表示制御部は、前記入出金情報と前記関連情報を時系列に並べて帯状に表示する
請求項１に記載の情報処理装置。
【請求項３】
前記関連情報は、決済に関連した決済関連情報、前記イベントに関連したイベント関連情報、日時に関連する日時関連情報、場所に関連する場所関連情報、及び乗り物に関連する乗り物関連情報のうち少なくとも１つの情報を含む
請求項２に記載の情報処理装置。
【請求項４】
前記表示制御部は、前記関連情報を、テキスト、画像、若しくは動画、又はそれらの組み合わせにより表示する
請求項３に記載の情報処理装置。
【請求項５】
前記イベントは、同一のグループに属する複数のユーザが参加可能であり、
前記表示制御部は、前記複数のユーザごとに、前記入出金情報と前記関連情報を時系列に表示する
請求項１に記載の情報処理装置。
【請求項６】
前記入出金情報は、前記複数のユーザで共通な共通出金情報と、前記複数のユーザごとに固有な固有出金情報を含む
請求項５に記載の情報処理装置。
【請求項７】
前記共通出金情報は、前記複数のユーザにより合計額を割り勘した金額に関する割り勘情報を含む
請求項６に記載の情報処理装置。
【請求項８】
前記表示制御部は、所定のグループに属するユーザに対し、同一のグループ内の他のユーザの前記入出金情報と前記関連情報を時系列に表示する
請求項５に記載の情報処理装置。
【請求項９】
前記入出金情報と前記関連情報は、編集可能である
請求項１に記載の情報処理装置。
【請求項１０】
前記入出金情報と前記関連情報は、前記イベントごとに、他のユーザと共有可能である
請求項１に記載の情報処理装置。
【請求項１１】
前記他のユーザの前記入出金情報と前記関連情報は、前記イベントごとに検索可能である
請求項１０に記載の情報処理装置。
【請求項１２】
前記ユーザの行動は、前記決済により特定可能である
請求項１に記載の情報処理装置。
【請求項１３】
前記イベントは、提供されるサービスごとに異なり、
前記決済は、前記サービスに加入した前記ユーザの専用の口座で行われる
請求項１２に記載の情報処理装置。
【請求項１４】
前記サービスは、旅行、音楽のライブ、レンタカー、又は結婚式のサービスを含む
請求項１３に記載の情報処理装置。
【請求項１５】
表示部をさらに備え
前記表示制御部は、
前記入出金情報と前記関連情報を時系列に並べて帯状に前記表示部に表示し、
前記入出金情報と前記関連情報のすべての情報を前記表示部の画面内に表示できない場合には、前記ユーザの操作に応じてすべての情報を表示可能とする
請求項２に記載の情報処理装置。
【請求項１６】
情報処理装置が、
ユーザの貯蓄又は決済に関する貯蓄決済情報、及び前記ユーザの行動に応じた行動履歴情報に基づいて、イベントごとに、そのイベントでの入出金に関する入出金情報と、その入出金に関連する関連情報を時系列で表示する制御を行う
情報処理方法。
【請求項１７】
コンピュータを、
ユーザの貯蓄又は決済に関する貯蓄決済情報、及び前記ユーザの行動に応じた行動履歴情報に基づいて、イベントごとに、そのイベントでの入出金に関する入出金情報と、その入出金に関連する関連情報を時系列で表示する制御を行う表示制御部
として機能させるためのプログラム。
【請求項１８】
ユーザの貯蓄又は決済に関する貯蓄決済情報、及び前記ユーザの行動に応じた行動履歴情報に基づいて、イベントごとに、そのイベントでの入出金に関する入出金情報と、その入出金に関連する関連情報を時系列で表示した表示情報を生成する生成部と、
生成した前記表示情報を他の情報処理装置に送信する送信部と
を備える情報処理装置。
【請求項１９】
情報処理装置が、
ユーザの貯蓄又は決済に関する貯蓄決済情報、及び前記ユーザの行動に応じた行動履歴情報に基づいて、イベントごとに、そのイベントでの入出金に関する入出金情報と、その入出金に関連する関連情報を時系列で表示した表示情報を生成し、
生成した前記表示情報を他の情報処理装置に送信する
情報処理方法。
【請求項２０】
コンピュータを、
ユーザの貯蓄又は決済に関する貯蓄決済情報、及び前記ユーザの行動に応じた行動履歴情報に基づいて、イベントごとに、そのイベントでの入出金に関する入出金情報と、その入出金に関連する関連情報を時系列で表示した表示情報を生成する生成部と、
生成した前記表示情報を他の情報処理装置に送信する送信部と
として機能させるためのプログラム。
【発明の詳細な説明】
【技術分野】
【０００１】
本技術は、情報処理装置、情報処理方法、及びプログラムに関し、特に、より容易にイベントの内容を使った金額とともに振り返ることができるようにした情報処理装置、情報処理方法、及びプログラムに関する。
【背景技術】
【０００２】
近年、金融サービスと情報通信技術（ICT：Information and Communication Technology）とを組み合わせたシステムの開発が盛んに行われている。この種のシステムとしては、例えば、特許文献１と特許文献２に開示されているものが知られている。【０００３】
特許文献１には、目標や目標金額を設定して目標に向けた資産の管理を行うに際し、区分ごとの預貯金の残高を区分ごとに提示し、区分の何れかに入金可能な金額、又は区分の何れかから出金可能な金額がある場合に金額を提示してその金額を区分のうちの何れかの区分に振り分けるものが開示されている。【０００４】
特許文献２には、ユーザの行動に係る情報を収集する行動情報収集システムとして、シナリオに基づく会話を、携帯端末上でのメッセージ表示及びユーザからの応答の入力により行い、その応答の内容に基づき把握された行動の内容をユーザと関連付けて記録する技術が開示されている。
【先行技術文献】
【特許文献】
【０００５】
【特許文献１】特開2003-30449号公報
【特許文献２】特開2018-77567号公報
【発明の概要】
【発明が解決しようとする課題】
【０００６】
ところで、金融サービスと情報通信技術とを組み合わせた様々なシステムが提案されているが、現状では、個人的な行事等のイベントでの入出金に応じてそのイベントの内容を振り返るための技術は確立されておらず、より容易にイベントの内容を使った金額とともに振り返るための技術の提案が求められている。【０００７】
本技術はこのような状況に鑑みてなされたものであり、より容易にイベントの内容を使った金額とともに振り返ることができるようにするものである。
【課題を解決するための手段】
【０００８】
本技術の一側面の情報処理装置は、ユーザの貯蓄又は決済に関する貯蓄決済情報、及び前記ユーザの行動に応じた行動履歴情報に基づいて、イベントごとに、そのイベントでの入出金に関する入出金情報と、前記入出金に関連する関連情報を時系列で表示する制御を行う表示制御部を備える情報処理装置である。【０００９】
本技術の一側面の情報処理方法、及びプログラムは、上述した本技術の一側面の情報処理装置に対応する情報処理方法、及びプログラムである。【００１０】
本技術の一側面の情報処理装置、及び情報処理方法においては、ユーザの貯蓄又は決済に関する貯蓄決済情報、及び前記ユーザの行動に応じた行動履歴情報に基づいて、イベントごとに、そのイベントでの入出金に関する入出金情報と、前記入出金に関連する関連情報を時系列で表示する制御が行われる。【００１１】
本技術の一側面の情報処理装置は、ユーザの貯蓄又は決済に関する貯蓄決済情報、及び前記ユーザの行動に応じた行動履歴情報に基づいて、イベントごとに、そのイベントでの入出金に関する入出金情報と、その入出金に関連する関連情報を時系列で表示した表示情報を生成する生成部と、生成した前記表示情報を他の情報処理装置に送信する送信部とを備える情報処理装置である。【００１２】
本技術の一側面の情報処理方法、及びプログラムは、上述した本技術の一側面の情報処理装置に対応する情報処理方法、及びプログラムである。【００１３】
本技術の一側面の情報処理装置、及び情報処理方法においては、ユーザの貯蓄又は決済に関する貯蓄決済情報、及び前記ユーザの行動に応じた行動履歴情報に基づいて、イベントごとに、そのイベントでの入出金に関する入出金情報と、その入出金に関連する関連情報を時系列で表示した表示情報が生成され、生成された前記表示情報が他の情報処理装置に送信される。【００１４】
なお、本技術の一側面の情報処理装置は、独立した装置であってもよいし、１つの装置を構成している内部ブロックであってもよい。
【図面の簡単な説明】
【００１５】
【図１】本技術を適用したサービス提供システムの構成の例を示す図である。
【図２】携帯端末の構成の例を示すブロック図である。
【図３】行動履歴サーバの構成の例を示すブロック図である。
【図４】旅行口座サービスを利用する際の流れを説明するフローチャートである。
【図５】口座管理画面の例を示す図である。
【図６】申し込み画面の例を示す図である。
【図７】旅リスト画面の第１の例を示す図である。
【図８】旅リスト画面の第２の例を示す図である。
【図９】自分旅詳細画面の例を示す図である。
【図１０】友人旅詳細画面の例を示す図である。
【図１１】自分旅詳細画面の第１の例を示す図である。
【図１２】自分旅詳細画面の第２の例を示す図である。
【図１３】自分旅詳細画面の第３の例を示す図である。
【図１４】自分旅詳細画面の第４の例を示す図である。
【図１５】自分旅編集画面の第１の例を示す図である。
【図１６】自分旅編集画面の第２の例を示す図である。
【図１７】旅リスト検索画面の例を示す図である。
【図１８】他人旅詳細画面の例を示す図である。
【図１９】旅行口座アプリの画面遷移の例を示す図である。
【図２０】旅行口座アプリの動作の流れを説明するフローチャートである。
【図２１】旅リスト検索画面の第１の例を示す図である。
【図２２】旅リスト検索画面の第２の例を示す図である。
【図２３】旅地域検索画面の第１の例を示す図である。
【図２４】旅地域検索画面の第２の例を示す図である。
【図２５】旅検索画面の第１の例を示す図である。
【図２６】旅検索画面の第２の例を示す図である。
【図２７】アーティスト選択画面の例を示す図である。
【図２８】自分ライブ詳細画面の第１の例を示す図である。
【図２９】自分ライブ詳細画面の第２の例を示す図である。
【図３０】自分ライブ詳細画面の第３の例を示す図である。
【図３１】他人ライブ共有画面の例を示す図である。
【図３２】自分レンタカー詳細画面の第１の例を示す図である。
【図３３】自分レンタカー詳細画面の第２の例を示す図である。
【図３４】他人レンタカー共有画面の例を示す図である。
【図３５】レンタカー予約画面の例を示す図である。
【図３６】自身結婚式詳細画面の第１の例を示す図である。
【図３７】自身結婚式詳細画面の第２の例を示す図である。
【図３８】結婚式リスト検索画面の例を示す図である。
【図３９】他人結婚式詳細画面の例を示す図である。
【図４０】サービス提供システムを構成する各装置で行われる処理の例を説明するフローチャートである。
【図４１】行動履歴サーバの他の構成の例を示すブロック図である。
【図４２】サービス提供システムを構成する各装置で行われる処理の他の例を説明するフローチャートである。
【図４３】コンピュータの構成例を示す図である。
【発明を実施するための形態】
【００１６】
以下、図面を参照しながら本技術の実施の形態について説明する。なお、説明は以下の順序で行うものとする。
【００１７】
１．第１の実施の形態：旅行口座サービス
２．第２の実施の形態：ライブ口座サービス
３．第３の実施の形態：レンタカー口座サービス
４．第４の実施の形態：結婚式口座サービス
５．変形例
６．コンピュータの構成
【００１８】
＜１．第１の実施の形態＞
【００１９】
（システムの構成）
図１は、本技術を適用したサービス提供システムの構成の例を示す図である。
【００２０】
サービス提供システム１は、携帯端末１０−１乃至１０−Ｎ（Ｎ：１以上の整数）、行動履歴サーバ２０、及び貯蓄決済サーバ３０から構成される。このサービス提供システムにおいて、携帯端末１０−１乃至１０−Ｎのそれぞれと、行動履歴サーバ２０と、貯蓄決済サーバ３０とは、インターネットや携帯電話網等を含むネットワーク４０を介して相互に接続され、各種の情報をやり取りすることができる。
【００２１】
携帯端末１０−１は、例えば、スマートフォンや携帯電話機、タブレット端末、ゲーム機、腕時計型や眼鏡型等のウェアラブル端末などの電子機器である。なお、携帯端末１０−１は、各種の情報を処理する装置であることから、情報処理装置であるとも言える。
【００２２】
携帯端末１０−１は、サービス提供システム１により提供される各種のサービスのアプリケーションを実行することができる。また、携帯端末１０−１は、ユーザにより各種の行動が行われたとき、その行動に関する情報を、ネットワーク４０を介して行動履歴サーバ２０に送信するか、あるいはエッジコンピューティングとして行動履歴情報を自身で記録する。
【００２３】
サービスカード１１−１は、サービス提供システム１により提供される各種のサービスやイベントごとに提供されるカードであって、携帯端末１０−１を所持するユーザに対して提供される。このサービスカード１１−１は、例えば、デビットカード等の決済機能を有するカードである。なお、実際にユーザが決済する際には、暗号を入力するなどしてセキュリティ対策がとられているものとする。
【００２４】
なお、サービスカード１１−１の決済機能が、携帯端末１０−１に内蔵されるようにしてもよく、その場合には、ユーザは、サービスカード１１−１を所持する必要はなく、携帯端末１０−１のみを所持すればよい。
【００２５】
携帯端末１０−２乃至１０−Ｎは、携帯端末１０−１と同様に、スマートフォン等の電子機器から構成され、各種のサービスのアプリケーションを実行可能である。なお、以下の説明では、携帯端末１０−１乃至１０−Ｎを特に区別する必要がない場合には、携帯端末１０と記述する。
【００２６】
また、サービスカード１１−２乃至１１−Ｎは、サービスカード１１−１と同様に、決済機能を有するカードであって、携帯端末１０−２乃至１０−Ｎのそれぞれを所持するユーザにより所持される。
【００２７】
サービスカード１１−２乃至１１−Ｎは、サービスカード１１−１と同様に、その決済機能が、携帯端末１０−２乃至１０−Ｎのそれぞれに内蔵されるようにしてもよい。なお、以下の説明では、サービスカード１１−１乃至１１−Ｎを特に区別する必要がない場合には、サービスカード１１と記述する。
【００２８】
行動履歴サーバ２０は、携帯端末１０−１乃至１０−Ｎを使用するユーザの行動履歴を管理するサーバである。行動履歴サーバ２０は、例えば、各種のサービスを提供する事業者により提供される。なお、行動履歴サーバ２０は、各種の情報を処理する装置であることから、情報処理装置であるとも言える。
【００２９】
行動履歴サーバ２０は、携帯端末１０−１乃至１０−Ｎから送信されてくる行動に関する情報を、ネットワーク４０を介して受信し、ユーザごとに行動履歴情報として管理する。行動履歴サーバ２０は、携帯端末１０からの要求に応じて、行動履歴情報を、ネットワーク４０を介して携帯端末１０に送信する。
【００３０】
貯蓄決済サーバ３０は、携帯端末１０を使用するユーザの貯蓄や決済などの情報を管理するサーバである。貯蓄決済サーバ３０は、例えば、銀行や各種のサービスを提供する事業者により提供される。
【００３１】
貯蓄決済サーバ３０は、ネットワーク４０を介して貯蓄や決済などに関する情報を受信し、ユーザごとに貯蓄決済情報として管理する。貯蓄決済サーバ３０は、携帯端末１０からの要求に応じて、貯蓄決済情報を、ネットワーク４０を介して携帯端末１０に送信する。
【００３２】
ここで、貯蓄決済サーバ３０により管理される貯蓄決済情報は、例えば、現金自動預け払い機（ATM：Automatic Teller Machine）や、パーソナルコンピュータで起動されたブラウザを利用したインターネットバンキング、携帯端末１０（例えばスマートフォン）で起動されたブラウザやアプリケーションを利用したモバイルバンキングなどのサービスで取引された情報（例えば貯蓄情報）が含まれる。
【００３３】
さらに、貯蓄決済サーバ３０では、貯蓄決済情報として、例えば、サービスカード１１や、サービスカード１１の決済機能を内蔵した携帯端末１０の情報を読み取ったカードリーダ（例えば店舗に設置された専用の決済端末）からの情報（例えば決済情報）なども管理される。
【００３４】
なお、ここでは、説明の簡略化のため、貯蓄情報と決済情報を含む貯蓄決済情報をまとめて、貯蓄決済サーバ３０が管理するとして説明するが、貯蓄情報と決済情報とが、それぞれ別のサーバにより管理されるようにしてもよい。
【００３５】
（携帯端末の構成）
図２は、図１の携帯端末１０の構成例を示すブロック図である。
【００３６】
図２において、携帯端末１０は、処理部１００、メモリ１０１、タッチパネル１０２、カメラ１０３、センサ１０４、通信部１０５、近接通信部１０６、マイクロフォン１０７、スピーカ１０８、及び電源部１０９から構成される。
【００３７】
処理部１００は、例えば、CPU(Central Processing Unit)やマイクロプロセッサ等から構成される。処理部１００は、各種の演算処理や、各部の動作制御など、携帯端末１０における中心的な処理装置として動作する。
【００３８】
メモリ１０１は、例えば、不揮発性メモリ（例えば、NVRAM(Non-Volatile RAM)等）などの半導体メモリから構成される。メモリ１０１は、処理部１００からの制御に従い、各種のデータを記録する。
【００３９】
タッチパネル１０２は、タッチセンサ１１１と表示部１１２から構成される。なお、タッチセンサ１１１は、表示部１１２の画面上に重畳されている。
【００４０】
タッチセンサ１１１は、ユーザによりタッチパネル１０２に対して行われる入力操作（例えば、タップ操作やフリック操作など）を、その操作が行われた場所のタッチパネル１０２上での位置とともに検出し、その検出信号を処理部１００に供給する。
【００４１】
表示部１１２は、例えば、液晶や有機EL等のディスプレイから構成される。表示部１１２は、処理部１００からの制御に従い、テキストや画像、動画等の各種の情報を表示する。
【００４２】
カメラ１０３は、CMOS(Complementary Metal Oxide Semiconductor)イメージセンサやCCD(Charge Coupled Device)イメージセンサ等のイメージセンサと、カメラISP(Image Signal Processor)等の信号処理部を含んで構成される。
【００４３】
カメラ１０３は、イメージセンサによって被写体を撮影して得られる信号に対し、レンズ等の光学系の補正処理や、イメージセンサのばらつきなどに対応した補正処理のほか、露出やフォーカス、ホワイトバランスなどに関する処理を行い、その結果得られる撮影画像のデータを、処理部１００に供給する。
【００４４】
センサ１０４は、各種のセンサから構成される。センサ１０４は、ユーザやその周辺に関する様々な情報を得るためのセンシングを行い、そのセンシング結果に応じたセンサのデータを、処理部１００に供給する。
【００４５】
例えば、センサ１０４としては、磁場（磁界）の大きさや方向を検出する磁気センサ、加速度を検出する加速度センサ、角度（姿勢）や角速度、角加速度を検出するジャイロセンサ、GPS(Global Positioning System)信号などから算出される位置情報を検出する位置センサ、周囲の明るさを検出する環境光センサ、近接するものを検出する近接センサ、あるいは指紋や虹彩、脈拍などの生体情報を検出する生体センサなど、各種のセンサを含めることができる。
【００４６】
通信部１０５は、例えば、セルラー方式の通信（例えばLTE-Advancedや5G等）、若しくは無線LAN(Local Area Network)等の無線通信、又はイーサネット（登録商標）等の有線通信に対応した通信モジュールなどから構成される。
【００４７】
通信部１０５は、処理部１００からの制御に従い、各種のデータを、ネットワーク４０を介して行動履歴サーバ２０又は貯蓄決済サーバ３０に送信する。また、通信部１０５は、処理部１００からの制御に従い、ネットワーク４０を介して行動履歴サーバ２０又は貯蓄決済サーバ３０から送信されてくる各種のデータを受信する。
【００４８】
近接通信部１０６は、例えばNFC(Near Field Communication)やBluetooth（登録商標）等の近距離無線通信に対応した近接通信モジュールなどから構成される。近接通信部１０６は、処理部１００からの制御に従い、例えばNFC等の近距離無線通信を利用して各種のデータの送受信を行う。
【００４９】
マイクロフォン１０７は、外部からの音を、電気信号に変換する機器（収音器）である。マイクロフォン１０７は、変換で得られる音声信号を、処理部１００に供給する。
【００５０】
スピーカ１０８は、処理部１００からの制御に従い、音声信号等の電気信号に応じた音を出力する。なお、図示はしていないが、イヤホン又はヘッドホンが所定の端子を介して携帯端末１０に接続された場合には、処理部１００からの制御に従い、音声信号を、所定の端子を介して出力することができる。
【００５１】
電源部１０９は、蓄電池又は外部電源から得られる電源電力を、処理部１００を含む携帯端末１０の各部に供給する。
【００５２】
ここで、処理部１００は、サービス提供システム１により提供される各種のサービスを実現するために、行動履歴情報取得部１２１、貯蓄決済情報取得部１２２、画面生成部１２３、及び表示制御部１２４を含んでいる。
【００５３】
行動履歴情報取得部１２１は、通信部１０５を制御して、ネットワーク４０を介して行動履歴サーバ２０に、行動履歴情報を要求する。行動履歴情報取得部１２１は、通信部１０５を制御して、ネットワーク４０を介して行動履歴サーバ２０から送信されてくる行動履歴情報を取得する。行動履歴情報取得部１２１は、取得した行動履歴情報を、画面生成部１２３に供給する。
【００５４】
貯蓄決済情報取得部１２２は、通信部１０５を制御して、ネットワーク４０を介して貯蓄決済サーバ３０に、貯蓄決済情報を要求する。貯蓄決済情報取得部１２２は、通信部１０５を制御して、ネットワーク４０を介して貯蓄決済サーバ３０から送信されてくる貯蓄決済情報を取得する。貯蓄決済情報取得部１２２は、取得した貯蓄決済情報を、画面生成部１２３に供給する。
【００５５】
画面生成部１２３は、各種のサービスに関する画面を生成し、表示制御部１２４に供給する。表示制御部１２４は、画面生成部１２３から供給される画面を、タッチパネル１０２の表示部１１２に表示する制御を行う。
【００５６】
また、画面生成部１２３は、行動履歴情報取得部１２１から供給される行動履歴情報、及び貯蓄決済情報取得部１２２から供給される貯蓄決済情報に基づいて、イベントごとに、そのイベントでの入出金に関する入出金情報とその関連情報を時系列で表示した所定の画面を生成する。表示制御部１２４は、画面生成部１２３により生成された所定の画面を、表示部１１２に表示する。ここで、イベントとは、各種の行事のことであるが、ここでは特に、旅行（例えば北海道旅行や京都旅行）などの個人的な行事が想定される。
【００５７】
なお、行動履歴情報取得部１２１乃至表示制御部１２４は、例えば、CPU等の処理部１００が、メモリ１０１に記録された各種のサービスのアプリケーションのプログラムを実行することで実現される。このアプリケーションは、あらかじめメモリ１０１に記録されていてもよいし、あるいは、ネットワーク４０上のアプリケーションサーバ（不図示）からダウンロードされたものであってもよい。
【００５８】
また、上述したように、携帯端末１０が、サービスカード１１の決済機能を内蔵する場合には、NFC等の近距離無線通信に対応した近接通信部１０６を利用することができる。すなわち、例えば、商品を購入するユーザによって携帯端末１０が専用の決済端末にかざされたときに、NFC等の近距離無線通信を利用したデータの送受信が行われ、いわゆるモバイル決済（電子決済）が行われるようにすることができる。
【００５９】
携帯端末１０は、以上のように構成される。
【００６０】
（行動履歴サーバの構成）
図３は、図１の行動履歴サーバ２０の構成例を示すブロック図である。
【００６１】
図３において、行動履歴サーバ２０は、処理部２００、メモリ２０１、通信部２０２、ユーザDB２０３、及び行動履歴DB２０４から構成される。
【００６２】
処理部２００は、例えば、CPUやマイクロプロセッサ等から構成される。処理部２００は、各種の演算処理や、各部の動作制御など、行動履歴サーバ２０における中心的な処理装置として動作する。
【００６３】
メモリ２０１は、例えば、不揮発性メモリ（例えば、NVRAM等）などの半導体メモリから構成される。メモリ２０１は、処理部２００からの制御に従い、各種のデータを記録する。
【００６４】
通信部２０２は、無線通信又は有線通信に対応した通信モジュールなどから構成される。通信部２０２は、処理部２００からの制御に従い、ネットワーク４０を介して携帯端末１０−１乃至１０−Ｎから送信されてくる各種のデータを受信する。また、通信部２０２は、処理部２００からの制御に従い、各種のデータを、ネットワーク４０を介して携帯端末１０−１乃至１０−Ｎに送信する。
【００６５】
ユーザDB２０３及び行動履歴DB２０４は、ハードディスク等の大容量の記憶装置に記録される。ユーザDB２０３は、各種のサービスを利用するユーザに関するユーザ情報を格納している。行動履歴DB２０４は、ユーザごとの行動履歴情報を格納している。
【００６６】
ここで、処理部２００は、ユーザごとに行動履歴情報を管理するために、行動履歴情報管理部２２１を含んでいる。
【００６７】
行動履歴情報管理部２２１は、携帯端末１０から送信されてくるユーザの行動に関する情報を、ユーザDB２０３に格納されたユーザ情報を参照することで、ユーザごとに、行動履歴DB２０４に格納し、ユーザごとに行動履歴情報を管理する。
【００６８】
ここで、行動履歴情報は、ユーザの行動に応じた情報であって、ユーザの行動に関する様々な情報が含まれる。例えば、行動履歴情報には、携帯端末１０におけるタッチパネル１０２のタッチセンサ１１１に対する入力データ、カメラ１０３により撮影された撮影画像のデータ、センサ１０４により検出された各種のセンサのデータ、通信部１０５や近接通信部１０６でやり取りされる通信のデータ、マイクロフォン１０７やスピーカ１０８で処理される音声のデータなど、様々なデータから得られるユーザの行動に関する情報を含めることができる。
【００６９】
なお、上述したように、複数のユーザの行動履歴情報を、行動履歴サーバ２０により集中的に管理するだけでなく、ここでは、各ユーザの携帯端末１０で、自身の行動履歴情報を個別に管理するようにしてもよい。より具体的には、例えば、携帯端末１０にて撮影された撮影画像は、行動履歴情報の１つであると言えるが、行動履歴サーバ２０側で管理（クラウド側の大容量の記憶装置に保存）してもよいし、携帯端末１０側で管理（ローカル側のメモリ１０１に保存）してもよい。
【００７０】
また、ユーザごとに、すべての情報のうち一部の情報を、携帯端末１０側で管理しつつ、他の一部の情報を、行動履歴サーバ２０側で管理するようにしてよい。さらに、行動履歴情報には、携帯端末１０で処理されるデータから得られる情報に限らず、それ以外の情報（例えば外部の装置で処理されるデータから得られる情報）を含めるようにしてもよい。
【００７１】
行動履歴サーバ２０は、以上のように構成される。
【００７２】
（旅行口座サービスの概要）
ところで、図１のサービス提供システム１により提供可能なサービスの１つとして、旅行口座サービスがある。この旅行口座サービスは、旅行前の準備の段階から、旅行中や旅行後までのお金に関する様々なことを管理するためのサービスである。
【００７３】
なお、以下の説明では、旅行口座サービスのアプリケーションを、旅行口座アプリと称し、旅行口座サービスのサービスカード１１を、旅行口座サービスカード１１と称する。さらに、以下の説明では、ユーザの旅行を、旅行カバンという単位で表現する場合がある。
【００７４】
図４のフローチャートは、旅行口座サービスを利用する際の流れを示している。
【００７５】
まず、ユーザは、友人等と旅行を計画し（Ｓ１）、行き先等の情報収集を行う。この情報収集時において、ユーザが、例えば広告などから旅行口座サービスを知った場合を想定する（Ｓ２）。
【００７６】
なお、ここでの広告の媒体としては、例えば、旅行雑誌の広告や、ウェブ広告（例えば鉄道会社、旅行関連、又は銀行等のサイト）、パンフレット（例えば駅の特急券売り場や旅行代理店、銀行等に置いてある小冊子）、旅行口座サービスの公式ホームページ、キャンペーンやプロモーションなどが含まれる。
【００７７】
そして、ユーザは旅行口座サービスを利用する場合には、専用の口座を開いて、旅行口座サービスカード１１の素材を決める（Ｓ３）。
【００７８】
ここで、口座の開設方法であるが、例えば、次のような方法が想定される。すなわち、ウェブ広告やパンフレット上の２次元コード（例えば、QRコード（登録商標））やバーコード等を携帯端末１０（のカメラ１０３）で読み取って旅行口座アプリをダウンロードしたり、あるいは、携帯端末１０（の通信部１０５）でコンテンツ配信サービスのサイトにアクセスして旅行口座アプリをダウンロードしたりすることができる。
【００７９】
携帯端末１０では、ダウンロード済みの旅行口座アプリを起動して口座開設に必要な事項を入力し、例えば運転免許証や学生証等の身分証明書を読み込み、それらのデータをサーバに送信することで、口座を開設することができる。
【００８０】
また、ここでは、携帯端末１０にて起動中の旅行口座アプリを操作して、旅行口座サービスの加入者に提供される旅行口座サービスカード１１のデザインを選択できるようにする。これにより、旅行口座サービスに加入したユーザごとに、口座が開設されるとともに、旅行口座サービスカード１１が発行され、後日、ユーザに届けられる（Ｓ３）。この旅行口座サービスカード１１は、例えば、デビットカード、キャッシュカード等の決済機能を有するカードとされる。
【００８１】
口座開設後、ユーザは、旅費を口座に入金して貯蓄を行う（Ｓ４）。ここでは、旅行に行くための資金を用意することになるが、資金の用意の仕方には、次のようなパターンが想定される。すなわち、資金が既に用意できている場合には入金とされるが、これから用意する場合には預金や積立とされる。
【００８２】
なお、口座への入金等については、現金自動預け払い機（ATM）を利用する方法ほか、携帯端末１０において、ブラウザやアプリケーションを起動してモバイルバンキングの機能を利用するか、あるいは旅行口座アプリの機能を利用する方法などが想定される。また、ここでは、旅行口座アプリを利用することで、口座の情報を管理することもできる。
【００８３】
また、ユーザは、携帯端末１０にて起動中の旅行口座アプリを操作して、旅行の行き先や日程を最終的に決定する（Ｓ５）。なお、このとき、旅行口座アプリには、旅先の割引情報や特典などの情報が追加されるようにしてもよい。また、携帯端末１０においては、旅先の情報のうち、ユーザが気になる情報をブックマークする機能を設けてもよい。
【００８４】
その後、決定した行き先に応じたステッカが、ユーザに届けられる（Ｓ６）。このステッカは、旅先ごとに異なるデザインが施されており、旅行の期間中に有効とされる。また、このステッカには、例えば、旅行の行き先（例えば北海道）や期間（例えば2015年3月3日〜3月4日）などの情報が印字される。例えば、ユーザは、届いたステッカを自身の旅行口座サービスカード１１に貼ることで、自身で貯めたお金を旅先で使うという気持ちに切り替え、旅行前の気分を盛り上げることができる。
【００８５】
そして、旅行の当日（例えば2015年3月3日）になって、ユーザが行き先（例えば北海道）に到着すると、旅行口座サービスカード１１の決済機能が有効になる。これにより、ユーザは、旅行口座サービスカード１１（の決済機能）を利用して、旅先での決済を行う（Ｓ７）ことができるが、例えば、次のような場面が想定される。
【００８６】
すなわち、ユーザは、旅行口座サービスカード１１の決済機能を利用して、商品代や食事代などの料金を支払うだけでなく、例えば、行楽地特別割引として動物園や遊園地等の行楽地の入場料が割引になったり、友人との旅行である場合にはグループ会計する際に、全員の旅行口座サービスカード１１を店員に渡すことにより自動で割り勘が行われたり、店舗内で旅行口座サービスカード１１を持っていると店員が旅行者であると判断して声をかけてくれたりするなどの場面が想定される。
【００８７】
なお、旅行中の口座の残高は、携帯端末１０にて起動中の旅行口座アプリ（例えば、トップ画面に残高を表示）により確認することができるため、ユーザは、現時点での支出と残高が気になったときに、直ちに確認することができる。また、例えば、旅行中の航空券やホテル等は事前に予約する場合が多いが、航空券やホテルの申し込み時に、航空券代やホテル代として、旅行口座サービスの当日決済を選択することで、航空機やホテルの利用時に決済が行われる。なお、旅行口座サービスの当日決済が選択された場合には、航空券代やホテル代等の料金に対して所定の割引率の割引がなされるようにしてもよい。
【００８８】
旅行の期間（例えば2015年3月3日〜3月4日）においては、旅行口座サービスカード１１を利用した商品代や食事代などの料金の支払いが記録され、旅行の期間が終了すると、料金の支払いの記録は終了される。ユーザは、旅行から帰ってきた後に、携帯端末１０にて起動中の旅行口座アプリによって、自身の旅行の情報（例えば、後述する自分旅詳細画面３５１（図１１、図１２）に表示される入出金情報と関連情報）を閲覧して、どこで何にお金を使ったかなど、旅行の行程を振り返ることができる（Ｓ８）。
【００８９】
なお、自身の旅行の情報は、他のユーザと共有することができる。また、共有した情報は、所定の画面から閲覧することができ、またハッシュタグを付加することで詳細な検索も可能となる。さらに、ここでは、共有可能な情報は、公開するかどうかを選択することができる。また、ユーザは、他のユーザの旅行の情報を閲覧することができる。
【００９０】
このように、ユーザは、携帯端末１０にて起動中の旅行口座アプリを利用することで、自身の旅行の情報だけでなく、他のユーザの旅行の情報を閲覧することができるため、それらの情報によって、次の旅行につなげることができる（Ｓ９）。また、ここでは、旅先ごと（例えば県単位等）にデザインが変わるステッカを収集したい、あるいは、旅行に行った場合等に旅行口座サービスから付与されるポイント（サービスポイント）を増やしたいなどのユーザの心理が、次の旅行へ行くきっかけになり得る。
【００９１】
（旅行口座アプリの詳細な動作）
次に、図５乃至図２６を参照しながら、携帯端末１０で実行される旅行口座アプリの詳細な動作を説明する。この旅行口座アプリの主な機能としては、口座管理機能、自分の旅リスト機能、及び他人の旅リスト機能がある。
【００９２】
（Ａ）口座管理機能
まず、図５及び図６を参照して、旅行口座アプリの口座管理機能について説明する。なお、ここでは、旅行口座アプリの口座管理機能を利用するに先立って、旅行口座サービスに加入したユーザによって口座が開設済みであり、さらにその口座には旅費が入金済みである場合を例示する。
【００９３】
図５は、携帯端末１０のタッチパネル１０２（の表示部１１２）に表示される口座管理画面３０１の例を示している。
【００９４】
口座管理画面３０１において、貯蓄履歴表示領域３０２に表示された棒グラフは、所定の日付ごとの貯蓄額（単位：円）を表しており、旅行資金の目標金額を45,000円に設定して、2015年1月1日から旅行資金の貯蓄を開始した場合に、その後に徐々に資金が貯まっていき、2018年3月9日の時点で目標金額を達成していることを示している。
【００９５】
貯蓄額表示領域３０３には、現時点での貯蓄額として、45,387円が貯蓄されていることを示している。ここでは、貯蓄額とともに、旅行口座サービスを利用して獲得したポイントが、132ポイントであることを示している。
【００９６】
また、口座管理画面３０１において、申し込みボタン３０４は、貯蓄額に応じた旅先を申し込むためのボタンである。申し込みボタン３０４がタップ操作された場合、図６に示した申し込み画面３１１が口座管理画面３０１上に重畳表示される。
【００９７】
図６において、申し込み画面３１１には、予算や日程、行き先である項目ほか、一緒に旅行に行く友人に関する項目が設けられ、それらの申し込みに関する情報がユーザにより入力される。例えば、図６においては、45,000円である予算に対し、2018年11月2日から2018年11月4日までの期間である日程と、京都である行き先と、"abc123"である友人が入力されている。
【００９８】
なお、"abc123"は、システム上に登録された友人のニックネームなどを表している。また、ここでは、友人設定の入力欄に設けられたボタンを操作することで、２人以上の友人を登録することができる。また１人での旅行の場合には、友人を登録する必要はない。
【００９９】
そして、申し込み画面３１１においては、ユーザにより予定や日程、行き先、友人などの情報が入力された後に、登録ボタン３１２がタップ操作された場合、その申し込み情報が、ネットワーク４０を介して行動履歴サーバ２０に送信されて登録される。
【０１００】
このように、旅行口座アプリでは、口座管理機能を利用することで、ユーザの口座を管理して、例えば、目標金額に向けて貯蓄を行ったり、目標金額を達成した場合には貯蓄した金額を旅行資金として旅行を申し込んだりすることができる。
【０１０１】
（Ｂ）自分の旅リスト機能
次に、図７乃至図１６を参照して、旅行口座アプリの自分の旅リスト機能について説明する。
【０１０２】
図７は、携帯端末１０のタッチパネル１０２（の表示部１１２）に表示される旅リスト画面３２１の例を示している。
【０１０３】
この旅リスト画面３２１は、例えば、図６の申し込み画面３１１にて申し込み情報が入力された後に登録ボタン３１２がタップ操作された場合に表示される。図７において、旅リスト画面３２１は、現在・未来旅表示領域３２２と過去旅表示領域３２３の２つの領域から構成される。
【０１０４】
現在・未来旅表示領域３２２には、これから行く予定の旅や、現時点で旅をしている途中の旅に関する情報が提示される。例えば、図７においては、図６の申し込み画面３１１にて登録された京都への旅行（日程：2018/11/2〜2018/11/4、友人：abc123/ayk303）に関する情報が、旅行カバンのアイコン上に表示されている。なお、この京都旅行は、これから行く予定の旅であるため、現時点では旅行の費用は未確定とされ、いわば旅行カバンは未完成であると言える。
【０１０５】
また、過去旅表示領域３２３には、これまでに行った旅に関する情報が提示される。例えば、図７においては、過去の北海道と群馬への旅行に関する情報が、旅行カバンのアイコン上にそれぞれ表示されている。
【０１０６】
例えば、北海道への旅行は、2015/3/3〜2015/3/4である日程で、ユーザ自身は43,832円である費用がかかっており、abc123/an0sn0/xyz000xyzである３人の友人と一緒に旅している。また、ここでは、これらの３人の友人に対応した旅行カバンのアイコンが表示され、例えば当該アイコンをタップ操作することで、対象の友人の旅に関する詳細な情報が提示される。
【０１０７】
その後、実際に、予定の日程（2018/11/2〜2018/11/4）で、ユーザが２人の友人（abc123/ayk303）と一緒に京都へ旅行して、その旅行での費用（入出金に関する情報）が確定した場合、旅リスト画面３２１における現在・未来旅表示領域３２２に表示されている旅行カバンが完成し、図８に示した旅リスト画面３２１が表示される。
【０１０８】
すなわち、このとき、京都への旅行にかかった自身の費用として37,504円が確定しているため、図８の旅リスト画面３２１においては、現在・未来旅表示領域３２２の旅行カバンのアイコン上に、37,504円である金額が表示されている。
【０１０９】
なお、詳細は後述するが、この京都旅行の際には、ユーザや友人の行動に応じて、行動履歴情報が携帯端末１０（のメモリ１０１）又は行動履歴サーバ２０に保持され、貯蓄決済情報が貯蓄決済サーバ３０に保持される。
【０１１０】
ここで、現在・未来旅表示領域３２２に表示された自身の旅行カバンがタップ操作された場合、図９に示した自分旅詳細画面３３１が表示され、自身の旅行に関する詳細な情報を参照することができる。より具体的には、自分旅詳細画面３３１には、京都旅行での自身の入出金に関する入出金情報（例えば決済の情報等）と、それに関連する関連情報（例えばテキストや画像等）が表示される。
【０１１１】
例えば、自分旅詳細画面３３１において、旅情報表示領域３３２には、旅行の１日目に使った金銭の総額（21,860円）とその内訳として、例えば、行きの高速バス代（5,300円）の入出金情報とともに、その決算時刻、発着時刻や発着場所、搭乗便や座席番号などの関連情報が表示される。
【０１１２】
また、図示はしていないが、上下方向のフリック操作に応じて画面全体が上下方向にスクロールすることで、旅情報表示領域３３２には、旅行の１日目に使った金銭の内訳として、行きの高速バスの料金以外の入出金情報（例えば、拝観料や食事代等）とその関連情報（例えば寺院や昼食の画像等）が帯状に表示される。このようなレシート状表示によって、いわば、旅行の１日目に自身が支払った金額に関する詳細なレシートを提示していると言える。
【０１１３】
なお、日程タブ３３３をタップ操作することで、１日目の情報と２日目の情報とを切り替えることができる。また、自分旅詳細画面３３１には、友人等の他のユーザと情報を共有するためのシェアボタン３３４と、情報を編集するための編集ボタン３３５が表示される。
【０１１４】
図８の説明に戻り、旅リスト画面３２１においては、一緒に旅した友人（abc123/ayk303）の旅行カバンが完成した場合には、現在・未来旅表示領域３２２に表示された自身の旅行カバンとともに、友人の旅行カバンが表示される。そして、例えば、abc123である友人の旅行カバンがタップ操作された場合、図１０に示した友人旅詳細画面３４１が表示され、選択した友人（abc123）の旅に関する詳細な情報を参照することができる。
【０１１５】
例えば、図１０の友人旅詳細画面３４１は、図９の自分旅詳細画面３３１と同様の画面構成となっているが、自身と友人（abc123）とでは、一緒に行動はしているものの、各場所で使用している金銭の額が異なっているため、旅行の費用の総額（39,275円）は勿論、１日目に使った金銭の総額（19,325円等）やその内訳なども異なっている。
【０１１６】
すなわち、友人旅詳細画面３４１（図１０）において、旅情報表示領域３４２に表示される情報を、自分旅詳細画面３３１（図９）の旅情報表示領域３３２に表示される情報と比べれば、例えば高速バス等の交通費やホテル代、拝観料等の入場料などの支払いは各ユーザで共通の出費となるが、例えば食事代やお土産代などの支払いはユーザごとに固有の出費となる。
【０１１７】
このように、京都旅行等の旅行（イベント）は、同一のグループ（友達グループ）に属する複数のユーザ（自分と友人）が参加可能であり、当該複数のユーザ（自分と友人）ごとに、入出金情報とその関連情報が時系列に表示されることになる。また、入出金情報には、複数のユーザ（自分と友人）で共通な共通出金情報と、複数のユーザごとに固有な固有出金情報を含む。なお、共通出金情報には、合計額を人数で割り勘した金額に関する割り勘情報を含む。
【０１１８】
なお、友人旅詳細画面３４１（図１０）においては、自分旅詳細画面３３１（図９）と同様に、日程タブ３４３、シェアボタン３４４、及び編集ボタン３４５が表示される。
【０１１９】
図８の説明に戻り、旅リスト画面３２１において、過去旅表示領域３２３に表示された自身の旅行カバンがタップ操作された場合、図１１及び図１２に示した自分旅詳細画面３５１が表示され、自身の過去の旅に関する詳細な情報を参照することができる。
【０１２０】
より具体的には、図１１及び図１２の自分旅詳細画面３５１には、2015年3月3日から2015年3月4日の間に、北海道に友人３人（abc123/an0sn0/xyz000xyz）と旅行している場合に、北海道旅行での自身の入出金情報と関連情報が、日付ごとにレシート状（帯状）に表示される。なお、図１１と図１２において、旅情報表示領域３５２は、あたかも長いレシートのようにつながっており、上下方向のフリック操作に応じて画面全体がスクロールすることで、すべての情報を表示させることができる。
【０１２１】
例えば、旅情報表示領域３５２においては、旅行の１日目に使った金銭の総額（26,860円）とその内訳として、行きの航空券代（9,800円）、レンタカー代（3,000円）、飲み物代（140円）、動物園の入園料（540円）、昼食代（800円）、お土産代（2100円）、ホテル代（8,000円）、夕食代（2,596円）、及び飲み物代（120円）である入出金情報が、関連情報とともに時系列に表示される。
【０１２２】
具体的には、レシート状（帯状）の旅情報表示領域３５２において、例えば空港にて飛行機への搭乗時（6:23）に対応した領域に、行きの航空券代（9,800円）である入出金情報とともに、航空会社（AIR-HOKKAIDO）、発着時刻（6:30成田発、9:25札幌着）や搭乗便（MX227）、座席番号（41F）、及びスタンプなどの関連情報が表示される。
【０１２３】
なお、スタンプは、旅行口座サービスと航空会社とが提携している場合に、その航空会社の飛行機を利用したときに表示されるものであって、例えば、その航空会社のロゴや、旅行口座サービス限定のデザインなどを採用することができる。
【０１２４】
続いて、レシート状の旅情報表示領域３５２において、例えば目的地に到着後のレンタカーの貸出時（10:08）に対応した領域に、レンタカー代（3,000円）である入出金情報とともに、レンタカー会社の名称やレンタカーの画像、割り勘や割引サービスに関する情報、及びスタンプなどの関連情報が表示される。
【０１２５】
ここで、割り勘に関する情報としては、例えば、実際にはレンタカー代は12,000円であったが、一緒に旅行している４人で割り勘したために１人あたり3,000円となっている旨の情報とされる。また、割引サービスに関する情報としては、例えば、４人でレンタカーを利用しているため、グループ割として、8％の割引率が適用された旨の情報とされる。
【０１２６】
なお、レンタカーの画像は、ユーザや友人が携帯端末１０により撮影した撮影画像は勿論、インターネット上のサイトに公開されている公開画像などであってもよい。さらに、画像の代わりに又は画像とともに、動画が表示されるようにしてもよい。この動画としては、例えば、ユーザ等が撮影した撮影動画や公開済みの公開動画などを含めることができる。また、スタンプは、提携しているレンタカー会社のレンタカーを使用したときに表示されるものであって、例えばそのレンタカー会社のロゴとされる。
【０１２７】
また、レシート状の旅情報表示領域３５２において、例えばレンタカーの乗車前に自販機での飲み物の購入時（10:23）に対応した領域に、飲み物代（140円）である入出金情報とともに、購入した飲み物の画像（例えば撮影画像や公開画像、動画等）などの関連情報が表示される。
【０１２８】
続いて、レシート状の旅情報表示領域３５２において、例えばレンタカーで移動して動物園に到着時（11:21）に対応した領域に、動物園の入園料（540円）である入出金情報とともに、動物園の名称（北海動物園）、動物の画像、割引サービスに関する情報、及びスタンプなどの関連情報が表示される。
【０１２９】
ここで、動物の画像は、例えば撮影画像や公開画像、あるいは動画（撮影動画や公開動画）などとすることができる。また、割引サービスに関する情報としては、例えば、４人で動物園に入園しているため、グループ割として、10％の割引率が適用された旨の情報とされる。さらに、スタンプは、提携している動物園を利用したときに表示されるものであって、例えばその動物園のロゴとされる。
【０１３０】
また、レシート状の旅情報表示領域３５２において、動物園内の食堂での昼食時（12:10）に対応した領域に、昼食代（800円）である入出金情報とともに、注文した料理の名称（鍋定食）、及び注文した料理の画像（例えば撮影画像や公開画像、動画等）などの関連情報が表示される。
【０１３１】
さらに、レシート状の旅情報表示領域３５２において、動物園内のお土産売り場でのお土産の購入時（13:32）に対応した領域に、お土産代（2100円）である入出金情報とともに、購入したお土産の情報（ハンカチ 900円、クッキー 600円、ガラス細工 600円）、及び購入したお土産の画像（例えば撮影画像や公開画像、動画等）などの関連情報が表示される。
【０１３２】
続いて、レシート状の旅情報表示領域３５２において、例えばレンタカーでホテルに移動後のチェックイン時（18:58）に対応した領域に、ホテル代（8,000円）である入出金情報とともに、ホテルの名称（札幌駅前ホテル）、及びホテルの画像（例えば撮影画像や公開画像、動画等）などの関連情報が表示される。
【０１３３】
続いて、レシート状の旅情報表示領域３５２において、駅前の繁華街での夕食時（21:47）に対応した領域に、夕食代（2,596円）である入出金情報とともに、料理店の名称（さっぽろ海鮮どんや）、料理や店内の画像（例えば撮影画像や公開画像、動画等）、割り勘やグループ特典に関する情報、及びスタンプなどの関連情報が表示される。
【０１３４】
ここで、割り勘に関する情報としては、例えば、４人での食事の合計金額が10,384円である場合に、４人で割り勘したために１人あたり2,596円となっている旨の情報とされる。また、グループ特典に関する情報としては、例えば、ドリンク一杯のサービスが適用された旨の情報とされる。さらに、スタンプは、提携している飲食店を利用したときに表示されるものであって、例えばその飲食店のロゴとされる。
【０１３５】
続いて、レシート状の旅情報表示領域３５２において、ホテルに戻った後に自販機での飲み物の購入時（22:42）に対応した領域に、飲み物代（120円）である入出金情報とともに、購入した飲み物の画像（例えば撮影画像や公開画像、動画等）などの関連情報が表示される。
【０１３６】
このように、自分旅詳細画面３５１（図１１、図１２）においては、旅情報表示領域３５２に、旅行の１日目に使った金銭の総額とその内訳として、入出金情報とともに関連情報が時系列でレシート状に表示されるため、ユーザは、携帯端末１０の画面全体を上下方向にスクロールさせることで、いわば、レシート状にまとめられた自身の支払い履歴によって、自身の１日目の行動を振り返ることができる。
【０１３７】
ここで、自分旅詳細画面３５１（図１１）において、日程タブ３５３（の「DAY2」）がタップ操作され、１日目の情報から２日目の情報に切り替えられた場合、図１３に示した自分旅詳細画面３５１が表示され、旅情報表示領域３５２には、旅行の２日目に使った金銭の総額（14,376円）とその内訳として、飲み物代（140円）、食品代（536円）、及び帰りの航空券代（13,800円）である入出金情報が、関連情報とともに時系列に表示されている。
【０１３８】
具体的には、レシート状の旅情報表示領域３５２において、例えばホテルをチェックアウトして目的地に向かっているときに自販機での飲み物の購入時（10:23）に対応した領域に、飲み物代（140円）である入出金情報とともに、購入した飲み物の画像（例えば撮影画像や公開画像、動画等）などの関連情報が表示される。
【０１３９】
続いて、レシート状の旅情報表示領域３５２において、目的地であるパン工場への到着時（10:49）に対応した領域に、食品代（536円）である入出金情報とともに、パン工場の名称（さっぽろベーカリー）、購入したパンの情報（牛乳パン 216円、芋パン 320円）、及び購入したパンやパン工場の画像（例えば撮影画像や公開画像、動画等）などの関連情報が表示される。
【０１４０】
続いて、レシート状の旅情報表示領域３５２において、空港に移動した後に飛行機への搭乗時（12:30）に対応した領域に、帰りの航空券代（13,800円）である入出金情報とともに、航空会社（AIR-HOKKAIDO）、発着時刻（12:30札幌発、15:25成田着）や搭乗便（MX225）、座席番号（31D）、及びスタンプ（例えば航空会社のロゴ等）などの関連情報が表示される。
【０１４１】
このように、自分旅詳細画面３５１（図１３）において、旅情報表示領域３５２に、旅行の２日目に使った金銭の総額とその内訳として、入出金情報とともに関連情報が時系列でレシート状に表示されるため、ユーザは、レシート状にまとめられた自身の支払い履歴によって、自身の２日目の行動を振り返ることができる。
【０１４２】
以上のように、旅行口座サービスに加入したユーザは、旅行中に、旅行口座サービスカード１１を利用して決済を行い、旅行後に、携帯端末１０にて旅行口座アプリを起動して自分旅詳細画面３５１を表示することで、レシート状にまとめられた自身の入金情報とその関連情報を通じて、１日目、２日目の旅行を振り返ることができる。
【０１４３】
また、自分旅詳細画面３５１（図１１、図１３）には、友人等の他のユーザと情報を共有するためのシェアボタン３５４と、情報を編集するための編集ボタン３５５が表示される。
【０１４４】
ここで、自分旅詳細画面３５１（図１３等）において、シェアボタン３５４がタップ操作された場合、自身の北海道旅行の情報（入出金情報や関連情報）が他のユーザにより共有可能とされる（他のユーザに対して公開される）。
【０１４５】
例えば、図１４に示した自分旅詳細画面３５１は、シェアボタン３５４がタップ操作され、他のユーザとの情報を共有（公開）した後の画面を表しており、シェアボタン３５４（図１３等）の代わりに、お気に入りマーク３５６が表示されている。お気に入りマーク３５６は、何人の他のユーザからお気に入りの登録がされているかを示し、この例では、32人の他のユーザが、自身の北海道旅行の旅行カバンを登録済みである。
【０１４６】
また、自分旅詳細画面３５１（図１１、図１３、図１４）において、編集ボタン３５５がタップ操作された場合、図１５に示した自分旅編集画面３６１が表示され、自身の北海道旅行の情報（入出金情報や関連情報）を編集可能とされる。
【０１４７】
例えば、自分旅編集画面３６１においては、旅情報表示領域３６２にて登録済みの情報が表示された領域の間に、入出金情報や関連情報を追加するための追加ボタン３６３−１と追加ボタン３６３−２が表示されている。
【０１４８】
ここで、例えば、ユーザによって、情報を追加すべき時刻に対応した領域に表示された追加ボタン３６３−１がタップ操作された場合、図１６に示した自分旅編集画面３６１が表示され、旅情報表示領域３６２には、追加ボタン３６３−１に対応した領域に、情報追加領域３６４が表示される。この情報追加領域３６４では、例えば、時刻や商品名、金額、画像などの情報がユーザにより入力又は選択され、自身の北海道旅行の情報（入出金情報や関連情報）として登録される。
【０１４９】
なお、商品購入時のレシートが残っている場合には、読み込みボタン３６５をタップ操作することで、携帯端末１０のカメラ機能を利用して、当該レシートを撮影してそこに記載された情報を認識することで、その認識結果に応じた情報を、自身の北海道旅行の情報（入出金情報や関連情報）として登録することができる。また、例えば、旅行口座サービスでは、地方の小売店と連携することで、自身の旅リストに、地方で販売している商品（例えばご当地グッズ）を載せると、そのユーザに対してより多くのサービスポイントが付与されるなどの仕組みを設けるようにしてもよい。一方で、地方の小売店からすれば、広告になるというメリットがある。
【０１５０】
このように、旅行口座アプリでは、自身の旅リスト機能を利用することで、例えば、自身や一緒に行った友人の旅を振り返ったり、その旅の情報を他のユーザと共有したりすることができる。また、旅行口座アプリでは、編集機能を利用することで、自身の旅の情報を編集することができる。
【０１５１】
なお、図８において、完成直後の旅行カバンは、現在・未来旅表示領域３２２に表示されているが、所定の操作が行われるか、あるいは所定の時間が経過した後に、過去旅表示領域３２３に移動される。
【０１５２】
（Ｃ）他人の旅リスト機能
次に、図１７及び図１８を参照して、旅行口座アプリの他人の旅リスト機能について説明する。
【０１５３】
図１７は、携帯端末１０のタッチパネル１０２（の表示部１１２）に表示される旅リスト検索画面３７１の例を示している。
【０１５４】
この旅リスト検索画面３７１は、例えば、図５の口座管理画面３０１において、旅探索ボタン３０５がタップ操作された場合に表示される。図１７において、旅リスト検索画面３７１は、検索条件入力領域３７２と検索結果表示領域３７３の２つの領域から構成される。
【０１５５】
検索条件入力領域３７２は、他人の旅リストを検索するための検索条件を入力するための領域であって、例えば、自身の旅行資金の目標金額である45,000円以下等の金額を検索条件が入力又は選択され、検索ボタンがタップ操作されると、その検索条件に応じた検索結果が、検索結果表示領域３７３に表示される。
【０１５６】
図１７において、検索結果表示領域３７３には、45,000円以下の検索条件に応じた検索結果として、他人の旅リストに対応した複数の旅行カバンのアイコンが表示されている。この他人の旅行カバン上には、旅行の費用や日程、行き先のほか、旅の情報を収集する際に利用されるハッシュダグなどの情報が表示される。また、旅行カバン上には、お気に入りマークが重畳されており、その星型のマーク上の数字が多いほど、人気があることを意味している。
【０１５７】
例えば、検索結果表示領域３７３において、右上の旅行カバンは、44,410円の費用がかかった沖縄の旅行であって、その日程が2015年3月2日から2015年3月3日で、ハッシュタグとして、"卒業旅行"と"女子旅"が付加されている。また、この旅行カバンは、142人のユーザからお気に入りの登録がなされている。
【０１５８】
このとき、検索結果表示領域３７３に表示された複数の旅行カバンの中から、１つの旅行カバン（例えば右上の旅行カバン）が選択されてタップ操作された場合、図１８に示した他人旅詳細画面３８１が表示され、他人の旅に関する詳細な情報を参照することができる。より具体的には、他人旅詳細画面３８１には、沖縄旅行での他人の入出金に関する入出金情報（例えば決済の情報等）と、それに関連する関連情報（例えばテキストや画像、動画等）が、レシート状に表示される。
【０１５９】
例えば、他人旅詳細画面３８１において、旅情報表示領域３８２には、旅行の１日目に使った金銭の総額（21,250円）とその内訳として、例えば、飲食代（536円）の入出金情報とともに、店舗の名称（おきなわカフェ）、場所（沖縄県中頭郡読谷村宇座）、注文品（パンケーキセット）、店舗の画像（例えば撮影画像や公開画像）などの関連情報が表示される。
【０１６０】
また、図示はしていないが、上述した場合と同様に、上下方向のフリック操作に応じて画面全体が上下方向にスクロールすることで、旅情報表示領域３８２には、旅行の１日目に使った金銭の内訳として、入出金情報とその関連情報がレシート状に表示される。また、タブによって１日目の情報と２日目の情報とを切り替えることができる。このようなレシート状表示によって、いわば、他人の沖縄旅行で、当該他人が支払った金額に関する詳細なレシートを提示していると言える。
【０１６１】
なお、他人の旅行の内容を確認したが自身が思っていたような旅行ではない場合には、検索条件入力領域３８３に、所望の検索条件を入力し直して検索ボタンをタップ操作することで、所望の他人の旅リストを再検索することができる。
【０１６２】
このように、旅行口座アプリでは、他人の旅リスト機能を利用することで、例えば、他人の旅を振り返って、自身の旅行の参考にすることができる。
【０１６３】
ここで、上述した自分の旅リスト機能と他人の旅リスト機能で、入出金情報とともに表示される関連情報についてまとめると、次のようになる。すなわち、関連情報は、決済に関連した決済関連情報、イベントに関連したイベント関連情報、日時に関連する日時関連情報、場所に関連する場所関連情報、及び乗り物に関連する乗り物関連情報のうち少なくとも１つの情報を含み、テキスト、画像、若しくは動画、又はそれらの組み合わせにより表示されることになる。
【０１６４】
より具体的には、決済関連情報としては、購入した商品名（例えばガラス細工、マグカップ、アロハシャツ等）、飲食した内容（例えば、だし巻き卵、ほっけの塩焼き、カレーランチセット等）、サービス名やコース名（例えば、ダイビング半日コースや電動ろくろコース等）などの情報が含まれる。また、イベント関連情報には、例えば、北海道旅行（１日目、２日目）などの情報が含まれる。
【０１６５】
また、日時関連情報には、決済の時刻（例えば、6:23や10:08等）などの情報が含まれる。場所関連情報には、施設や店舗の名称（例えば、北海動物園や札幌駅前ホテル、さっぽろ海鮮どんや等）などの情報が含まれる。さらに、乗り物関連情報としては、例えば、列車名（例えば、XYZ10号等）や便名（例えば、MX225等）、席番号（例えば、31D，5号車11A等）などの情報が含まれる。
【０１６６】
（旅行口座アプリの画面遷移）
以上、図５乃至図１８を参照して、旅行口座アプリを実行する携帯端末１０においてタッチパネル１０２（の表示部１１２）に表示される画面の例を説明したが、それらの画面の遷移をまとめれば、例えば、図１９のように表すことができる。
【０１６７】
すなわち、口座管理画面３０１（図５）において、申し込みボタン３０４がタップ操作された場合、申し込み画面３１１（図６）が表示される。この申し込み画面３１１（図６）において、登録ボタン３１２がタップ操作された場合、旅リスト画面３２１（図７）が表示される。
【０１６８】
旅リスト画面３２１（図７）において、現在・未来旅表示領域３２２に表示された自身の旅行カバンは未完成状態となるが、旅行の記録が終了して自身の旅行カバンが完成した場合、旅リスト画面３２１に表示された自身の旅行カバンが、図７に示した未完成状態から、図８に示した完成状態に更新される。
【０１６９】
旅リスト画面３２１（図８）において、現在・未来旅表示領域３２２に表示された自身の旅行カバンがタップ操作された場合、自分旅詳細画面３３１（図９）が表示される。一方で、旅リスト画面３２１（図８）において、現在・未来旅表示領域３２２に表示された友人の旅行カバンがタップ操作された場合、友人旅詳細画面３４１（図１０）が表示される。
【０１７０】
また、旅リスト画面３２１（図７）において、過去旅表示領域３２３に表示された自身の旅行カバンのアイコンがタップ操作された場合、１日目の自分旅詳細画面３５１（図１１、図１２）が表示される。この１日目の自分旅詳細画面３５１（図１１）において、日程タブ３５３（の「DAY2」）がタップ操作され、１日目の情報から２日目の情報に切り替えられた場合、２日目の自分旅詳細画面３５１（図１３）が表示される。
【０１７１】
ここで、自分旅詳細画面３５１（図１１、図１３）において、シェアボタン３５４がタップ操作された場合、自分旅詳細画面３５１が、図１１、図１３に示したシェア前の状態から、図１４に示したシェア後の状態に更新される。
【０１７２】
また、自分旅詳細画面３５１（図１１、図１３、図１４）において、編集ボタン３５５がタップ操作された場合、自分旅編集画面３６１（図１５）が表示される。この自分旅編集画面３６１（図１５）において、追加ボタン３６３がタップ操作された場合、自分旅編集画面３６１が、図１５に示した情報追加領域３６４の追加前の状態から、図１６に示した追加後の状態に更新される。
【０１７３】
なお、口座管理画面３０１（図５）において、旅探索ボタン３０５がタップ操作された場合、旅リスト検索画面３７１（図１７）が表示される。この旅リスト検索画面３７１（図１７）において、検索結果表示領域３７３に表示された他人の旅行カバンがタップ操作された場合、他人旅詳細画面３８１（図１８）が表示される。
【０１７４】
（旅行口座アプリの動作）
ここで、図２０のフローチャートを参照して、旅行口座アプリの動作として、未完成の旅行カバンが生成された後に完成するまでの流れを説明する。
【０１７５】
旅行口座アプリは、口座管理画面３０１（図５）を表示する場合、貯蓄決済サーバ３０から貯蓄情報を取得することで、預金残高を確認してその情報を表示する（Ｓ１１）。また、旅行口座アプリは、申し込み画面３１１（図６）を表示したとき、予算、日程、行き先、友人等の申し込み情報のユーザ入力を受け付け（Ｓ１２）、未完成の旅行カバンを生成する（Ｓ１３）。
【０１７６】
そして、旅行口座アプリでは、未完成の旅行カバンに対し、各種の処理（Ｓ１４乃至Ｓ１９）が実行され、旅の記録を終了したタイミングで完了（Ｓ２０）となって、旅行カバンが完成する（Ｓ２１）。
【０１７７】
すなわち、旅行口座アプリは、貯蓄決済サーバ３０から、ユーザ個人での旅行口座サービスカード１１の決済情報を取得する（Ｓ１４）。また、旅行口座アプリは、一緒に旅行した友人がいる場合（Ｓ１５の「YES」）、旅行口座サービスカード１１の決済情報として、割り勘した決済情報をも取得する（Ｓ１６）。これにより、未完成の旅行カバンに対し、決済情報が含められる。
【０１７８】
また、旅行口座アプリは、取得した決済情報（の時刻情報）に基づき、メモリ１０１（又は行動履歴サーバ２０）に記録された撮影画像の中に、決済時と略同一の日時（又は決済時の時刻を含むある程度の幅を持った時間内）に撮影された撮影画像がある場合（Ｓ１７の「YES」）、その撮影画像を取得する（Ｓ１８）。これにより、未完成の旅行カバンに対し、決済情報に関連付けられた撮影画像が含められる。
【０１７９】
さらに、旅行口座アプリは、自分旅編集画面３６１（図１５、図１６）を表示したとき、ユーザによる追加情報の手動入力を受け付ける（Ｓ１９）。これにより、未完成の旅行カバンに対し、追加情報が含められる。
【０１８０】
このようにして、未完成の旅行カバンに対し、様々な情報（入出金情報とその関連情報）が含められ、旅行カバンが完成する。ここで、完了（Ｓ２０）のタイミングであるが、例えば、旅行口座アプリは、所定の画面における所定の位置に完了ボタンを設けておき、ユーザは後編集（Ｓ１９）を含めて自身が旅の記録が終わったと思えるタイミングで完了ボタンを操作する。この操作をトリガとして旅行カバンが完成することになる。そして、完成した旅行カバンは、旅リスト画面３２１（図７）にて過去旅表示領域３２３に表示される。
【０１８１】
換言すれば、例えば、旅行口座サービスカード１１の決済情報を受信可能な期間や、自身で旅の情報を編集可能な期間などは、旅行カバンが未完成の状態であって、それらの期間が終わって完了ボタンが操作されることで、完成の状態に遷移することになる。なお、完了のタイミングとしては、完了ボタンを操作したときに限らず、例えば、あらかじめ設定された日時が経過したときに完了とするなど、任意のタイミングを設定することができる。
【０１８２】
なお、ここでは、未完成の旅行カバンに対し、各種の処理（Ｓ１４乃至Ｓ１９）が実行されることで、決済情報や撮影画像、追加情報が含められる場合を一例に説明したが、決済情報（入出金情報）に関連する他の関連情報を含めるようにしてもよい。
【０１８３】
その後、完成した旅行カバンの内容は、自分旅詳細画面３５１（図１１、図１３）により確認することができるが、シェアボタン３５４が操作された場合（Ｓ２２の「YES」）、自身の旅行カバンが、旅リスト検索画面３７１（図１７）により検索される旅リストに含められ、他のユーザに共有（公開）される（Ｓ２３）。一方で、ユーザは、旅リスト検索画面３７１（図１７）により検索される公開された旅リストから、他人旅詳細画面３８１（図１８）を表示して、他人の旅行カバンの内容を確認することができる（Ｓ２４）。
【０１８４】
（画面の他の例）
上述した旅行口座アプリの画面の表示形態は一例であって、携帯端末１０においては、旅行口座アプリの画面として、他の表示形態を採用して様々な機能を提供することができる。
【０１８５】
図２１は、携帯端末１０のタッチパネル１０２（の表示部１１２）に表示される旅リスト検索画面４０１の例を示している。
【０１８６】
この旅リスト検索画面４０１は、例えば、図５の口座管理画面３０１において、旅探索ボタン３０５がタップ操作された場合に表示される。図２１において、旅リスト検索画面４０１は、上述した旅リスト検索画面３７１（図１７）と同様に、検索条件入力領域４０２と検索結果表示領域４０３の２つの領域から構成される。
【０１８７】
図２１においては、検索条件入力領域４０２に、45,000円以下である金額が検索条件として入力されているため、検索結果表示領域４０３には、45,000円以下である検索条件を満たした他人の旅リストに対応した旅行カバンのアイコンが表示される。この他人の旅行カバン上には、旅行の費用や行き先、泊数のほか、グレード情報が表示される。
【０１８８】
このグレード情報は、例えば、使用したお店や、購入した商品のグレードの統計値（例えば平均値や中央値等）に応じた情報であって、この統計値に応じたマーク（例えば星マーク等）が旅行カバンのアイコン上に表示される。例えば、５段階の星マークによって、星マークの数が多いほどグレードが高いことを表すようにすることで、５つ星ホテルであるのかユースホステルであるのか、あるいは高級レストランであるのか地元のレストランであるのかなどを示すことができる。
【０１８９】
例えば、検索結果表示領域４０３において、左上の旅行カバンと右上の旅行カバンは、共に44,520円の旅費がかかった京都・大阪旅行であるが、左上の旅行カバンは１泊の旅行である一方で、右上の旅行カバンは８泊の旅行である。すなわち、左上の旅行カバンは、５つの星マークが表示された贅沢（Luxury）なグレードが高い旅行となる一方で、右上の旅行カバンは、１つの星マークが表示された低コスト（Economy）なグレードが低い旅行となる。
【０１９０】
また、図２１においては、旅行カバンのアイコン上に、旅行の費用や行き先、泊数、グレード情報が表示される場合を例示したが、例えば、画像などの他の情報が表示されるようにしてもよい。例えば、図２２の旅リスト検索画面４０１において、検索結果表示領域４０３には、旅行に関する画像として、最も金銭を使用した場面の画像（例えば撮影画像や公開画像等）が表示されている。なお、ここで表示される画像としては、例えば、グレートが低い旅行の場合にはより金銭を使用していない場面の画像を表示するなど、様々な場面の画像を表示することができる。
【０１９１】
また、ここでは、所定の計算式により豪華係数などの係数を算出して、旅行カバンのアイコン上に表示してもよい。例えば、旅行にかかった費用の総額のうち、交通費を除いた費用の割合を豪華係数と定義して、その係数の値が高いほど、旅行の水準が高いと判断することができる。
【０１９２】
このように、所望の検索条件に対する検索結果として、旅のグレードを含めることで、ユーザが、他のユーザの旅行を参考にする際の判断材料を増やして、より適切な旅行の提案を行うことができる。
【０１９３】
図２３は、携帯端末１０のタッチパネル１０２（の表示部１１２）に表示される旅地域検索画面４１１の例を示している。
【０１９４】
この旅地域検索画面４１１は、例えば、図５の口座管理画面３０１において、旅探索ボタン３０５がタップ操作された場合に表示される。図２３において、旅地域検索画面４１１は、検索条件入力領域４１２と検索結果表示領域４１３の２つの領域から構成される。
【０１９５】
検索条件入力領域４１２は、予算内の旅の目的地を検索するための検索条件を入力するための領域であって、例えば、出発地が東京都で、20,000円以下等の金額を検索条件が入力又は選択され、検索ボタンがタップ操作されると、検索結果表示領域４１３には、その検索条件に応じた検索結果が地図上に表示される。ここでは、例えば、日本地図を所定の領域ごとに分割することで、その分割領域ごとにグレード（例えば贅沢旅や普通旅、貧乏旅等）を区別して表示する。
【０１９６】
例えば、検索結果に応じて日本地図を表示する場合に、４つ以上の星マークの地域は、そのグレードが贅沢旅であって赤色等の第１の色で塗りつぶされ、３以下の星マークの地域は、そのグレードが普通旅や貧乏旅であって青色等の第２の色で塗りつぶされる。より具体的には、出発地が東京であれば、東京の周辺は赤色の領域が多くなり、その外側に広がるにつれて青色の領域が増えることが予測される。
【０１９７】
また、図２３においては、日本地図の分割領域ごとに、グレードを区別して表示する場合を例示したが、例えば、特定の分割地域に関する詳細情報などの他の情報が表示されるようにしてもよい。例えば、図２４の旅地域検索画面４１１において、検索条件入力領域４１２にて、出発地を東京都として予算を40,000円以下とした検索条件で検索したとき、検索結果表示領域４１３には、その検索条件に応じた検索結果が地図上に表示されるが、石川県に対応した分割領域に、石川旅行の概要情報を表示することができる。
【０１９８】
ここで、旅行の概要情報は、他人の旅行カバンに対応した情報であって、例えば、旅費や行き先、泊数、グレード情報、画像などの情報が表示される。なお、この概要情報を表示するタイミングであるが、例えば、ユーザにより所望の分割地域が選択された場合にその分割地域の概要情報を表示したり、あるいは、システム側でお勧めの分割地域をピックアップしてその概要情報を表示したりすることができる。なお、旅の概要情報に対してタップ操作が行われた場合には、その詳細情報を表示するようにしてもよい。
【０１９９】
このように、例えば、行き先はどこでもいいが、40,000円以内で旅行に行きたい場合などに、それらの検索条件に対する検索結果として、日本地図の分割地域ごとに旅のグレードや概要情報などを含めることで、ユーザが、他のユーザの旅行を参考にする際の判断材料を増やして、より直感的で、かつ、より適切な旅行の提案を行うことができる。
【０２００】
なお、上述した説明では、旅地域検索画面４１１を単独で表示する場合を説明したが、タブ表示によって、地図表示とリスト表示とが切り替えられるようにしてもよい。図２５及び図２６は、携帯端末１０のタッチパネル１０２（の表示部１１２）に表示される旅検索画面４２１の例を示している。図２５において、旅検索画面４２１は、検索条件入力領域４２２と検索結果表示領域４２３の２つの領域から構成される。
【０２０１】
検索条件入力領域４２２は、予算内の旅の目的地を検索するための検索条件を入力するための領域であって、例えば、45,000円以下等の金額が検索条件として入力され、検索ボタンがタップ操作されると、検索結果表示領域４２３には、その検索条件に応じた検索結果が表示される。このとき、表示タブ４２４として、地図表示を選択した場合には、検索条件に応じた検索結果が検索結果表示領域４２３（図２５）の日本地図上に表示される一方で、リスト表示を選択した場合には、検索条件に応じた検索結果が検索結果表示領域４２５（図２６）の他人の旅行カバン上に表示される。
【０２０２】
このように、旅地域検索画面４１１においては、表示タブ４２４によって、地図表示とリスト表示を切り替えることができるため、ユーザは、地図表示とリスト表示とを切り替えながら、自身にとって最適な旅行を見つけることができる。
【０２０３】
以上、第１の実施の形態について説明した。第１の実施の形態では、旅行口座サービスを利用して、ユーザが、旅行前の準備の段階から、旅行中や旅行後までのお金に関する様々なことを管理することができるようなシステムを提案した。
【０２０４】
この旅行口座サービスを利用することで、ユーザは、旅行の醍醐味である非日常の感覚を味わうだけでなく、旅行中や旅行後のお金にまつわる面倒さを解消することができる。その一方で、旅行口座サービスの専用の口座を開設してもらう銀行としても、当該旅行口座サービスを利用した旅行をきっかけに、ユーザによる銀行とのタッチポイントを増やしたり、新規顧客を獲得したり、長期的な顧客を確保したりすることができるなどのメリットがある。
【０２０５】
さらに、携帯端末１０においては、旅行の手配や商品購入など、銀行の口座の開設以外の目的で、所定のサービスのアプリケーション（例えば旅行口座アプリ）を起動させて、当該アプリケーションの処理を進める過程においてユーザが無意識に銀行の口座を開設することとなるため、新規の口座開設に対する敷居を下げることができる。これに加えて、携帯端末１０では、旅行の日程や商品の購入などのユーザの行動履歴情報（ログ情報）を記録して、時系列に展開表示が可能となっているため、一連の行動を一括りにまとめてソーシャルネットワーキングサービス（SNS：Social Networking Service）上で評価ポイントを記録可能にして、一連の行動見本を公開することで、アプリケーション（例えば旅行口座アプリ）の起動回数を増加させることができる。
【０２０６】
＜２．第２の実施の形態＞
【０２０７】
ところで、図１のサービス提供システム１により提供可能な他のサービスとして、ライブ口座サービスがある。このライブ口座サービスは、例えばライブ（音楽のライブ）のチケット購入やグッズ購入など、ライブに関する入出金と体験を画像等の情報とともに記録し、後から振り返ることができるサービスである。
【０２０８】
そこで、次に、図２７乃至図３１を参照しながら、携帯端末１０で実行されるライブ口座サービスのアプリケーション（以下、ライブ口座アプリという）の詳細な動作を説明する。このライブ口座アプリの主な機能としては、口座管理機能、自分のライブリスト機能、及び他人のライブリスト機能があるが、以下の説明では、自分のライブリスト機能を中心に説明する。
【０２０９】
図２７は、携帯端末１０のタッチパネル１０２（の表示部１１２）に表示されるアーティスト選択画面５０１の例を示している。
【０２１０】
図２７において、アーティスト選択画面５０１は、アーティストリスト領域５０２を含んでいる。アーティストリスト領域５０２には、ユーザがチケットを購入してライブに行ったアーティストの一覧が表示され、所望のアーティストを選択してタップ操作することで、図２８乃至図３０に示した自分ライブ詳細画面５１１が表示され、自身が過去に行ったライブに関する詳細な情報を参照することができる。
【０２１１】
より具体的には、自分ライブ詳細画面５１１（図２８乃至図３０）には、過去に行ったバンドＡのライブでの自身の入出金情報と関連情報がレシート状に表示される。なお、図２８乃至図３０において、ライブ情報表示領域５１２は、あたかも長いレシートのようにつながっており、上下方向のフリック操作に応じて画面全体がスクロールすることで、すべての情報を表示させることができる。
【０２１２】
例えば、ライブ情報表示領域５１２においては、2017年11月30日に、バンドＡの全国ツアーファイナルのライブで使った金銭の総額（20,000円）とその内訳として、チケット代（7,200円）、ツアー限定タオルやツアーバック等のグッズ代（2,900円、4,000円）などの入出金情報が、チケットの半券や撮影画像、ライブの画像、セットリストの情報などの関連情報とともに時系列で表示される。
【０２１３】
ここで、購入したグッズの入出金情報は、ライブ会場で撮影した撮影画像と紐付けて表示することができる。また、通常、コンビニエンスストア等で発券されるチケットには、対応する画像は存在しないが、このライブ体験アプリでは、オリジナルのチケット半券画像が表示される。さらに、例えば、ライブ終了後に確定するセットリストや、ライブ終了後に公開される画像（例えば公開画像）などの関連情報を表示することができる。
【０２１４】
また、例えば、ライブ情報表示領域５１２においては、2017年8月15日に、バンドＡのABCDEライブ大阪ホールでのライブで使った金銭の総額（30,000円）とその内訳として、チケット代（4,000円）、交通費（13,620円）などの入出金情報が、チケットの半券の画像、新幹線の発着時刻（9:30東京発、12:00大阪着）や列車名（XYZ10号）、座席番号（5号車11A）、一緒に行った友人の画像などの関連情報とともに時系列で表示される。
【０２１５】
なお、自分ライブ詳細画面５１１には、友人等の他のユーザと情報を共有するためのシェアボタン５１３と、情報を編集するための編集ボタン５１４が表示され、例えばライブ単位で、自身の情報を共有したり、編集したりすることができる。
【０２１６】
また、図３１に示した他人ライブ共有画面５２１を表示させることで、他人が共有したライブの資金計画などの情報とそれに関連する画像などの情報を参照することができる。他人ライブ共有画面５２１において、共有リスト領域５２２には、バンドＡのライブに関する共有情報が３件表示されており、所望の共有情報をタップ操作することで、その詳細情報を表示させることができる。
【０２１７】
以上、第２の実施の形態について説明した。第２の実施の形態では、ライブ口座サービスを利用して、ライブのチケット購入やグッズ購入など、ライブに関する入出金と体験を画像とともに記録し、後から振り返ることができるようなシステムを提案した。
【０２１８】
なお、上述した説明では、ライブ口座アプリの主な機能のうち、自分のライブリスト機能を中心に説明したが、ライブ口座アプリは、上述の旅行口座サービスと同様に、口座管理機能を有している。そのため、ユーザは、ライブ口座サービスを利用する場合には、専用の口座を開設し、ライブ口座サービスのサービスカード１１であるライブ口座サービスカード１１の発行を受けることになる。
【０２１９】
そして、ユーザは、例えば、ライブの当日までにライブに必要な費用を口座に貯めて、ライブの当日は、ライブ口座サービスカード１１を使用して様々な決済を行うことになる。なお、ここでも、ユーザが所持する携帯端末１０が、ライブ口座サービスカード１１の決済機能を内蔵するようにしてもよい。
【０２２０】
＜３．第３の実施の形態＞
【０２２１】
ところで、図１のサービス提供システム１により提供可能なさらに他のサービスとして、レンタカー口座サービスがある。このレンタカー口座サービスは、例えば車のレンタル代やレンタル中の出費など、レンタカーに関する入出金と体験を画像等の情報とともに記録し、後から振り返ることができるサービスである。
【０２２２】
そこで、次に、図３２乃至図３５を参照しながら、携帯端末１０で実行されるレンタカー口座サービスのアプリケーション（以下、レンタカー口座アプリという）の詳細な動作を説明する。このレンタカー口座アプリの主な機能としては、口座管理機能、自分のレンタカー使用リスト機能、及び他人のレンタカー使用リスト機能があるが、以下の説明では、自分のレンタカー使用リスト機能を中心に説明する。
【０２２３】
図３２及び図３３は、携帯端末１０のタッチパネル１０２（の表示部１１２）に表示される自分レンタカー詳細画面６０１の例を示している。
【０２２４】
自分レンタカー詳細画面６０１（図３２、図３３）には、過去にレンタカーを使用した際の自身の入出金情報とその関連情報がレシート状に表示される。すなわち、図３２及び図３３において、レンタカー情報表示領域６０２は、あたかも長いレシートのようにつながっており、上下方向のフリック操作に応じて画面全体がスクロールすることで、すべての情報を表示させることができる。
【０２２５】
例えば、レンタカー情報表示領域６０２においては、2018年8月7日に、レンタカーを借りた際に使った金銭の総額（85,140円）とその内訳として、レンタカー代（35,000円）、飲み物代（140円）、昼食代（3,000円）、温泉利用代（4,800円）、・・・、お土産代（1,500円）、昼食代（4,200円）、及び入場料（2,000円）などの入出金情報が、レンタカーの情報、食事や温泉の画像（撮影画像や公開画像）などの関連情報とともに時系列で表示される。
【０２２６】
ここで、例えば、レンタカー代である入出金情報の関連情報としては、車種名（セダン-XXX）、レンタル期間（2018/8/7〜2018/8/9）、レンタカー会社（ABCリース）、オブション（例えばチャイルドシート等）などの情報を含めることができる。
【０２２７】
なお、自分レンタカー詳細画面６０１には、友人等の他のユーザと情報を共有するためのシェアボタン６０３と、情報を編集するための編集ボタン６０４が表示され、例えばレンタルした車両単位で、自身の情報を共有したり、編集したりすることができる。また、レンタカー情報表示領域６０２には、関連情報として、レンタカーの走行距離や経路などの情報を表示するようにしてもよい。
【０２２８】
また、図３４に示した他人レンタカー共有画面６１１を表示させることで、他人が共有したドライブプランから車種を選択して、自身の周辺のレンタカー会社に対してレンタカーの予約を行うことができる。他人レンタカー共有画面６１１において、共有リスト領域６１２には、ドライブプランに関する共有情報（例えば車種と料金の情報）が４件表示されている。
【０２２９】
他人レンタカー共有画面６１１において、４件の共有情報の中から１件の共有情報（例えば左上の車）が選択されてタップ操作された場合、図３５に示したレンタカー予約画面６２１が表示される。そして、レンタカー予約画面６２１において、予約ボタン６２２がタップ操作された場合、選択したレンタカー（例えば左上の車）が、自身の周辺のレンタカー会社にて予約される。
【０２３０】
以上、第３の実施の形態について説明した。第３の実施の形態では、レンタカー口座サービスを利用して、車のレンタル代やレンタル中の出費など、レンタカーに関する入出金と体験を画像等の情報とともに記録し、レンタカーの代金とレンタル中の出費とを紐付けて後から振り返ることができるようなシステムを提案した。
【０２３１】
なお、上述した説明では、レンタカー口座アプリの主な機能のうち、自分のレンタカー使用リスト機能を中心に説明したが、レンタカー口座アプリは、上述の旅行口座サービスと同様に、口座管理機能を有している。そのため、ユーザは、レンタカー口座サービスを利用する場合には、専用の口座を開設し、レンタカー口座サービスのサービスカード１１であるレンタカー口座サービスカード１１の発行を受けることになる。
【０２３２】
そして、ユーザは、例えば、レンタカーを利用する日までにレンタカー使用中に必要な費用を口座に貯めて、レンタカーを利用中は、レンタカー口座サービスカード１１を使用して様々な決済を行うことになる。なお、ここでも、ユーザが所持する携帯端末１０が、レンタカー口座サービスカード１１の決済機能を内蔵するようにしてもよい。
【０２３３】
なお、第３の実施の形態では、レンタカー口座サービスとして、レンタカーを利用する場合を説明したが、カーシェアリング口座サービスとして、カーシェアリングに適用することも可能である。
【０２３４】
＜４．第４の実施の形態＞
【０２３５】
ところで、図１のサービス提供システム１により提供可能なさらに他のサービスとして、結婚式口座サービスがある。この結婚式口座サービスは、結婚式の当日までの準備の様子や、費用とその内訳などを確認することができるサービスである。
【０２３６】
そこで、次に、図３６乃至図３９を参照しながら、携帯端末１０で実行される結婚式口座サービスのアプリケーション（以下、結婚式口座アプリという）の詳細な動作を説明する。この結婚式口座アプリの主な機能としては、口座管理機能、自分の結婚式リスト機能、及び他人の結婚式リスト機能がある。
【０２３７】
図３６及び図３７は、携帯端末１０のタッチパネル１０２（の表示部１１２）に表示される自身結婚式詳細画面７０１の例を示している。
【０２３８】
自身結婚式詳細画面７０１（図３６、図３７）は、例えば、口座管理領域７０２と、明細表示領域７０３と、Todoリスト表示領域７０４との３つの領域から構成され、結婚式の入出金情報とその関連情報を含む情報がレシート状に表示される。図３６及び図３７において、口座管理領域７０２、明細表示領域７０３、及びTodoリスト表示領域７０４は、あたかも長いレシートのようにつながっており、上下方向のフリック操作に応じて画面全体がスクロールすることで、すべての情報を表示させることができる。
【０２３９】
例えば、口座管理領域７０２には、結婚式の費用（250万円）と、それに対する負担金額（ご祝儀：150万円、援助：50万円）が表示され、その差額（約50万円程度）が自己負担額となる。そのため、口座管理領域７０２では、結婚資金の目標金額を100万円に設定しているが、現時点での貯蓄額は、結婚式まであと58日の段階で、目標金額の半分にも届いていない状態である。
【０２４０】
また、明細表示領域７０３には、結婚式の費用（250万円）の明細（内訳）として、ドレス代（50万円）、お花代（20万円）、食事代（160万円）、メイク代（10万円）、及び小物代（10万円）などの入出金情報が、ドレス等の画像（例えば撮影画像や公開画像等）などの関連情報とともに（時系列で）表示される。さらに、Todoリスト表示領域７０４には、結婚式でやることのリストとして、席次表、ブーケ、ケーキ、２次会などの情報が、チェックボックスと担当する友人の名前とともに表示される。
【０２４１】
このように、自身結婚式詳細画面７０１では、結婚式の資金計画や画像を項目に対応付けて表示することで、それらの項目に紐付けて、資金計画や画像を確認することができる。
【０２４２】
図３８は、携帯端末１０のタッチパネル１０２（の表示部１１２）に表示される結婚式リスト検索画面７１１の例を示している。
【０２４３】
図３８において、結婚式リスト検索画面７１１は、検索条件入力領域７１２と検索結果表示領域７１３の２つの領域から構成される。
【０２４４】
検索条件入力領域７１２は、他人の結婚式リストを検索するための検索条件を入力するための領域であって、例えば、400万円以下等の金額が検索条件として入力され、検索ボタンがタップ操作されると、その検索条件に応じた検索結果が、検索結果表示領域７１３に表示される。
【０２４５】
図３８において、検索結果表示領域７１３には、400万円以下の検索条件に応じた検索結果として、他人の結婚式リストに対応した複数の金袋のアイコンが表示されている。この金袋上には、結婚式の費用と場所などの情報が表示される。また、金袋上には、お気に入りのマークが重畳されており、その星型のマーク上の数字が多いほど、人気があることを意味している。
【０２４６】
例えば、検索結果表示領域７１３において、右上の金袋は、200万円の費用がかかった鎌倉での結婚式であって、31人のユーザからお気に入りの登録がなされている。なお、図示はしていないが、金袋上には、結婚式の日程やハッシュタグ等の情報が表示されるようにしてもよい。
【０２４７】
このとき、検索結果表示領域７１３に表示された複数の金袋の中から、１つの金袋（右上の金袋）が選択されてタップ操作された場合、図３９に示した他人結婚式詳細画面７２１が表示され、他人の結婚式に関する詳細な情報を参照することができる。より具体的には、結婚式情報表示領域７２２には、xxxさんの結婚式の費用（200万円）とその明細（内訳）として、例えば、ドレス代（40万円）、お花代（15万円）、食事代（120万円）などの入出金情報が、ドレス等の画像（例えば撮影画像や公開画像等）などの関連情報とともに（時系列で）表示される。
【０２４８】
また、結婚式情報表示領域７２２には、結婚式場の場所（鎌倉）やその画像（例えば撮影画像や公開画像等）が、関連情報として表示される。
【０２４９】
なお、図示はしていないが、上述した場合と同様に、上下方向のフリック操作に応じて画面全体が上下方向にスクロールすることで、結婚式情報表示領域７２２には、結婚式の費用の明細（内訳）などの入出金情報とその関連情報がレシート状に表示される。また、他人の結婚式の内容を確認したが、自身が思っていたような旅行ではない場合には、検索条件入力領域７２３に、所望の検索条件を入力し直して検索ボタンをフリック操作することで、所望の他人の結婚式リストを再検索することができる。
【０２５０】
このように、他人結婚式詳細画面７２１では、他人が共有した資金計画や結婚式の内容を確認して、自身の結婚式の参考にすることができる。
【０２５１】
以上、第４の実施の形態について説明した。第４の実施の形態では、結婚式口座サービスを利用して、結婚式の当日までの準備の様子や、費用とその内訳などを確認することができるようなシステムを提案した。
【０２５２】
なお、上述した説明では、結婚式口座アプリの口座管理機能の詳細は述べていないが、結婚式口座アプリは、上述の旅行口座サービスと同様の口座管理機能を有している。そのため、ユーザは、結婚式口座サービスを利用する場合には、専用の口座を開設し、結婚式口座サービスのサービスカード１１である結婚式口座サービスカード１１の発行を受けることになる。
【０２５３】
そして、ユーザは、例えば、結婚式の当日（又はすべての決済が完了する日）までに結婚式に必要な費用を口座に貯めて、結婚式にかかる費用については、結婚式口座サービスカード１１を使用して決済を行うことになる。なお、ここでも、ユーザが所持する携帯端末１０が、結婚式口座サービスカード１１の決済機能を内蔵するようにしてもよい。
【０２５４】
（各装置の処理の流れ）
次に、図４０のフローチャートを参照して、サービス提供システム１を構成する各装置で行われる処理の例を説明する。
【０２５５】
図４０において、ステップＳ１１１乃至Ｓ１１９の処理は、携帯端末１０、又は旅行口座サービスカード１１等のサービスカード１１により実行される。また、ステップＳ１２１，Ｓ１２２の処理は、行動履歴サーバ２０により実行され、ステップＳ１３１，Ｓ１３２の処理は、貯蓄決済サーバ３０により実行される。
【０２５６】
携帯端末１０では、ユーザにより各種の行動が行われたとき（Ｓ１１１の「YES」）、その行動に関する情報（ログ情報）が、ネットワーク４０を介して行動履歴サーバ２０に送信される（Ｓ１１２）。これに対し、行動履歴サーバ２０は、携帯端末１０から送信されてくる情報を受信し、ユーザごとの行動履歴情報として管理する（Ｓ１２１）。
【０２５７】
ここで、行動履歴情報としては、例えば、撮影画像や位置情報などユーザの行動に関するあらゆる情報が含まれる。なお、行動履歴情報は、携帯端末１０側で管理し、メモリ１０１に保持されるようにしてもよいが、サーバ側で管理することで、サービスを利用する複数のユーザの行動履歴情報を集中して管理することができる。また、各ユーザの行動は、自身の決済により特定することができる。
【０２５８】
また、ユーザが商品を購入したり、食事をしたりして、決済が行われたとき（Ｓ１１３の「YES」）、例えば、店舗に設置された専用の決済端末により読み取られたサービスカード１１の情報に応じた決済に関する情報が、ネットワーク４０を介して貯蓄決済サーバ３０に送信される（Ｓ１１４）。これに対し、貯蓄決済サーバ３０は、携帯端末１０から送信されてくる情報を受信し、ユーザごとの貯蓄決済情報として管理する（Ｓ１３１）。
【０２５９】
ここで、貯蓄決済情報は、ユーザの口座の貯蓄額などの貯蓄情報と、ユーザによるサービスカード１１を使用した商品購入時の決済に関する情報などの決済情報を含んでいる。なお、携帯端末１０がサービスカード１１の機能を内蔵している場合には、例えば、決済時に、携帯端末１０が専用の決済端末にかざされることで、決済に関する情報が、貯蓄決済サーバ３０に送信される。
【０２６０】
ステップＳ１１５の判定処理では、例えば旅行口座アプリの完了ボタンが操作されるなどして、自身の旅の記録が完了したかどうかが判定される。そして、自身の旅の記録が完了していないと判定された場合（Ｓ１１５の「NO」）、処理は、ステップＳ１１１に戻り、上述したステップＳ１１１乃至Ｓ１１５が繰り返され、ユーザの行動に応じた行動履歴情報と、ユーザの貯蓄又は決済に関する貯蓄決済情報が適宜更新される。
【０２６１】
その後、自身の旅の記録が完了したと判定された場合（Ｓ１１５の「YES」）、処理は、ステップＳ１１６に進められる。ステップＳ１１６の判定処理では、例えば、携帯端末１０にて旅行口座アプリが起動され、自分旅詳細画面３５１（図１１乃至図１３等）などの所定の画面を表示するかどうかが判定される。そして、所定の画面を表示すると判定された場合（Ｓ１１６の「YES」）、処理は、ステップＳ１１７に進められる。
【０２６２】
ステップＳ１１７において、携帯端末１０（の通信部１０５）は、ネットワーク４０を介して行動履歴サーバ２０と貯蓄決済サーバ３０に情報を要求する。これにより、携帯端末１０において、行動履歴情報取得部１２１は、ネットワーク４０を介して行動履歴サーバ２０から送信されてくる行動履歴情報を取得し（Ｓ１２２）、貯蓄決済情報取得部１２２は、ネットワーク４０を介して貯蓄決済サーバ３０から送信されてくる貯蓄決済情報を取得する（Ｓ１２３）。
【０２６３】
ステップＳ１１８において、携帯端末１０の画面生成部１２３は、行動履歴情報取得部１２１により取得された行動履歴情報、及び貯蓄決済情報取得部１２２により取得された貯蓄決済情報に基づいて、イベントごとに、そのイベントでの入出金に関する入出金情報とその関連情報を時系列で表示した所定の画面を生成する。
【０２６４】
ステップＳ１１９において、携帯端末１０の表示制御部１２４は、画面生成部１２３により生成された所定の画面を、タッチパネル１０２の表示部１１２に表示する。
【０２６５】
ここでは、旅行口座アプリ等のアプリケーションにより表示される所定の画面として、イベント（例えば北海道旅行等の旅行）ごとに、そのイベントでの入出金に関する入出金情報（例えば旅費の総額、航空券代、レンタカー代、入園料、食事代、ホテル代、お土産代等）とその関連情報（例えば、撮影画像や公開画像、撮影動画や公開動画、乗り物の発着時刻や座席番号、施設の名称、購入した商品の名称、食べた料理の名称、割引サービスに関する情報等）を時系列で帯状に表示した自分旅詳細画面３５１（図１１乃至図１３等）が生成され、表示部１１２に表示される。
【０２６６】
以上、サービス提供システム１を構成する各装置で行われる処理の流れを説明した。
【０２６７】
＜５．変形例＞
【０２６８】
（ウェブアプリケーションの例）
上述した説明では、携帯端末１０において処理部１００が演算処理を行うことで各種の処理が行われて各種の画面が表示される、すなわち、旅行口座アプリ等のアプリケーションがいわゆるネイティブアプリケーションであるとして説明したが、携帯端末１０においてブラウザを起動してサーバ側で生成された各種の画面を表示する、いわゆるウェブアプリケーションとして構成されるようにしてもよい。
【０２６９】
そこで、次に、図４１及び図４２を参照して、旅行口座アプリ等のアプリケーションがウェブアプリケーションである場合について説明する。
【０２７０】
図４１は、図１の行動履歴サーバ２０の他の構成の例を示すブロック図である。
【０２７１】
図４１の行動履歴サーバ２０Ａは、図３に示した行動履歴サーバ２０と比べて、処理部２００の代わりに、処理部２００Ａが設けられている点が異なる。処理部２００Ａは、行動履歴情報管理部２２１のほかに、貯蓄決済情報取得部２２２、及び画面生成部２２３を含む。
【０２７２】
行動履歴情報管理部２２１は、ユーザごとに、行動履歴情報を管理する。行動履歴情報管理部２２１は、管理している行動履歴情報を、画面生成部２２３に供給する。
【０２７３】
貯蓄決済情報取得部２２２は、通信部２０２を制御して、ネットワーク４０を介して貯蓄決済サーバ３０から、貯蓄決済情報を取得する。貯蓄決済情報取得部２２２は、取得した貯蓄決済情報を、画面生成部２２３に供給する。
【０２７４】
画面生成部２２３は、行動履歴情報管理部２２１から供給される行動履歴情報、及び貯蓄決済情報取得部２２２から供給される貯蓄決済情報に基づいて、イベントごとに、そのイベントでの入出金に関する入出金情報とその関連情報を時系列で表示した所定の画面を表示するための画面情報を生成する。生成された画面情報は、通信部２０２によって、ネットワーク４０を介して携帯端末１０に送信される。
【０２７５】
なお、図４１において、メモリ２０１、通信部２０２、ユーザDB２０３、及び行動履歴DB２０４は、上述した図３に示した構成と同様であるため、ここではその説明は省略する。
【０２７６】
次に、図４２のフローチャートを参照して、サービス提供システム１を構成する各装置（図４１の行動履歴サーバ２０Ａを含む）で行われる処理の他の例を説明する。
【０２７７】
図４２において、ステップＳ２１１乃至Ｓ２１８の処理は、携帯端末１０、又は旅行口座サービスカード等のサービスカード１１により実行される。また、ステップＳ２２１乃至Ｓ２２４は、行動履歴サーバ２０により実行され、ステップＳ２３１，Ｓ２３２の処理は、貯蓄決済サーバ３０により実行される。
【０２７８】
ステップＳ２１１乃至Ｓ２１５，Ｓ２２１，Ｓ２３１においては、図４０のステップＳ１１１乃至Ｓ１１５，Ｓ１２１，Ｓ１３１と同様に、自身の旅の記録が完了するまでの間に、行動履歴サーバ２０Ａによって、携帯端末１０を所持したユーザの行動に応じた行動履歴情報が管理され、貯蓄決済サーバ３０によって、サービスカード１１を使用したユーザの決済に関する決済情報を含む貯蓄決済情報が管理される。
【０２７９】
ステップＳ２１６においては、図４０のステップＳ１１６と同様に、例えば、携帯端末１０にてブラウザが起動され、自分旅詳細画面３５１（図１１乃至図１３等）などの所定の画面を表示するかどうかが判定される。そして、所定の画面を表示すると判定された場合（Ｓ２１６の「YES」）、処理は、ステップＳ２１７に進められる。
【０２８０】
ステップＳ２１７において、携帯端末１０（の通信部１０５）は、ネットワーク４０を介して行動履歴サーバ２０にブラウザに表示する画面情報を要求する。それに対し、行動履歴サーバ２０は、携帯端末１０からの要求に基づき、ネットワーク４０を介して貯蓄決済サーバ３０に情報を要求する。これにより、行動履歴サーバ２０では、行動履歴情報管理部２２１によって自身が管理する行動履歴情報が取得されるとともに、貯蓄決済情報取得部２２２によって、ネットワーク４０を介して貯蓄決済サーバ３０から送信されてくる貯蓄決済情報が取得される（Ｓ２３２）。
【０２８１】
ステップＳ２２３において、行動履歴サーバ２０の画面生成部２２３は、行動履歴情報管理部２２１により取得された行動履歴情報、及び貯蓄決済情報取得部２２２により取得された貯蓄決済情報に基づいて、イベントごとに、そのイベントでの入出金に関する入出金情報とその関連情報を時系列で表示した所定の画面を表示するための画面情報を生成する。
【０２８２】
ステップＳ２２４において、行動履歴サーバ２０の通信部２０２は、画面生成部２２３により生成された画面情報を、ネットワーク４０を介して携帯端末１０に送信する。この画面情報は、携帯端末１０の通信部１０５により受信される。
【０２８３】
ステップＳ２１８において、携帯端末１０の表示制御部１２４は、通信部１０５により受信された画面情報に基づいて、所定の画面を、タッチパネル１０２の表示部１１２に表示する。
【０２８４】
ここでは、ブラウザにより表示される所定の画面として、イベント（例えば北海道旅行等の旅行）ごとに、そのイベントでの入出金に関する入出金情報（例えば食事代やホテル代等）とその関連情報（例えば撮影画像や撮影動画、購入した商品の名称等）を時系列で帯状に表示した自分旅詳細画面３５１（図１１乃至図１３等）が生成され、表示部１１２に表示される。
【０２８５】
以上、サービス提供システム１を構成する各装置で行われる処理の流れを説明した。
【０２８６】
（他のサービスの例）
上述した説明では、サービス提供システム１により提供されるサービスとして、旅行、ライブ（音楽のライブ）、レンタカー、又は結婚式のサービスを説明したが、それらのサービスは一例であって、さらに他のサービスを提供することができる。
【０２８７】
このような他のサービスとしては、例えば、社会人の留学や大学院への進学、資格の取得のサービス、車の購入のサービス、住まい探しや引っ越しのサービス、社内の出張管理システムのサービス、日々の光熱費や食費の管理のサービスなどの含めることができる。
【０２８８】
より具体的には、社会人の留学や大学院への進学、資格の取得のサービスでは、例えば、入学時の費用に加えて、準備のスクールや予備校の費用も大きいため、専用の口座で費用を管理できるようにする。また、当該サービスのアプリケーションでは、ユーザの努力の履歴や発表した論文を表示するなどして、自身のアカデミックな履歴を残せることができる。なお、当該サービスは、ユーザが給付を受けている奨学金と連携させることも可能である。
【０２８９】
また、車の購入のサービスでは、例えば、自動車ディーラーへの訪問の履歴を残して、車の購入時に使用できるポイントに交換できるなどのサービスが想定される。また、住まい探しや引っ越しのサービスでは、例えば、ユーザにとっては自身の予算とその予算額で可能な生活が想像しにくいため、他のユーザの様子を参照できるようにするサービスが想定される。
【０２９０】
さらに、社内の出張管理システムのサービスでは、例えば、国外出張は多くの費用がかかるうえに帰国後の出張の精算が面倒であるため、航空券から出張中の食事や交通費などの情報が記録されるようなサービスが想定される。また、企業側からすれば、社員の出張の履歴がデータ（ビッグデータ）として順次蓄積されるため、例えば最安値の出張費用を検索可能であり、結果として出張費用のコストダウンにつなげることができる。一方で、銀行側からすれば、サービスを企業に利用してもらうことで、多くの口座開設が期待できる。
【０２９１】
日々の光熱費や食費の管理のサービスでは、ユーザが漫然と使ってしまう日々の費用を管理するようなサービスが想定される。具体的には、当該サービスのアプリケーションでは、月ごとに、光熱費や食費などの費用を評価し、例えば、費用がかからなかった月などにおいては、高級スーパーで購入可能な食材や、ホテルでの食事など、「ちょっとした贅沢」や「良い暮らし」などの機会を提案することができる。
【０２９２】
このように、サービス提供システム１により提供されるサービスを利用することで、ユーザ側からすれば、例えば、資金の準備が楽しくなったり、資金活用時に現金精算では受けられない体験ができたり、資金を活用した記録が楽しいものになったりする、といったメリットがある。一方で、銀行側としては、ユーザがサービス専用の口座を開設することになるため、新規顧客を獲得できる、というメリットがある。さらに、ユーザがサービスの利用を開始する際に、友人と一緒に行うと精神的な障壁が少なく、より新規顧客を獲得できる可能性を高めることができる。
【０２９３】
（さらなる変形の例）
なお、上述した旅行口座サービス等のサービスでは、例えば旅行先で買い物をし過ぎてしまった場合などの対応を含めることができる。また、旅行口座アプリ等のアプリケーションでは、口座管理機能を提供する際に、目標金額の部分には、実際の保有金額の一部だけを表示するなどして調整を行うようにしてもよい。この調整の方法としては、例えば、あるユーザの１つの口座の中にパーティションを設けて分けたり、あるいは、実際には20万円持っているが5万円を目標金額に設定したりするなどが想定される。なお、旅行口座アプリ等のアプリケーションでは、例えばユーザが現実に0円しかない場合でも、キャッシングへの導線を設けることができ、その返済プロセスを管理することもできる。
【０２９４】
また、上述した旅行口座サービス等のサービスでは、サービスに加入しているユーザに対し、所定の条件を満たした場合に、サービスポイントを付与したり、あるいは、商品や食事等の決済時の金額を割り引いたりすることができる。すなわち、サービスの運営側からすれば、サービスに加入したユーザの撮影画像などを含めた消費行動のデータを取得してデータビジネスを行うことが可能となるため、当該ユーザに対してはポイントや割引などで還元されるようにする。
【０２９５】
さらに、上述した旅行口座サービス等のサービスでは、サービスに加入したユーザの個人情報を適切に管理することができる。すなわち、例えば、自分旅詳細画面３５１（図１１、図１３）において、ユーザは、シェアボタン３５４を操作しない限り、自身の情報が他のユーザに対して公開されないため、自身の意図しない範囲まで情報が広がってしまうことを防止することができる。また、サービスに加入したユーザは、ユーザアカウントやニックネームの設定が可能であるため、例えば、旅行口座アプリ等のアプリケーション上では、実名の代わりにニックネームを表示することで、匿名性を持たせることができる。一方で、サービスの運営側は、積極的に情報を公開していくユーザ（人気のユーザ）に対しては、インセンティブを付与することができる。
【０２９６】
上述した説明では、旅行口座アプリ等のアプリケーションが、スマートフォン等の携帯端末１０により実行される場合を説明したが、それらのアプリケーションは、例えば、パーソナルコンピュータ等の固定端末で実行されるようにしてもよい。
【０２９７】
なお、本明細書において、「タップ操作」とは、携帯端末１０のタッチパネル１０２上の所望の領域をユーザが指などで軽くたたくような操作をいう。また、「フリック操作」とは、携帯端末１０のタッチパネル１０２上の所望の領域にユーザが指を載せて、その指を上方向や下方向にスライドさせるような操作をいう。
【０２９８】
＜６．コンピュータの構成＞
【０２９９】
上述した一連の処理（例えば、図４０又は図４２に示した各装置の処理）は、ハードウェアにより実行することもできるし、ソフトウェアにより実行することもできる。一連の処理をソフトウェアにより実行する場合には、そのソフトウェアを構成するプログラムが、各装置のコンピュータにインストールされる。図４３は、上述した一連の処理をプログラムにより実行するコンピュータのハードウェアの構成例を示すブロック図である。
【０３００】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０３０１】
入力部１００６は、マイクロフォン、キーボード、マウスなどよりなる。出力部１００７は、スピーカ、ディスプレイなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブル記録媒体１０１１を駆動する。
【０３０２】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０３０３】
コンピュータ１０００（CPU１００１）が実行するプログラムは、例えば、パッケージメディア等としてのリムーバブル記録媒体１０１１に記録して提供することができる。また、プログラムは、ローカルエリアネットワーク、インターネット、デジタル衛星放送といった、有線又は無線の伝送媒体を介して提供することができる。
【０３０４】
コンピュータ１０００では、プログラムは、リムーバブル記録媒体１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０３０５】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０３０６】
なお、本技術の実施の形態は、上述した実施の形態に限定されるものではなく、本技術の要旨を逸脱しない範囲において種々の変更が可能である。例えば、上述した第１の実施の形態乃至第４の実施の形態（変形例を含む）では、銀行口座を開設する契機として、旅行などのイベントを管理するアプリケーションを立ち上げることを前提としているが、既に開設されている銀行口座を使って、旅行などのイベントに使う予定の目標額を貯蓄するために、別の費用や現金で下ろすなどの行為が簡単には行えないようにするため、あたかも簡易な定期貯蓄預金のようにして貯蓄管理をするようなアプリケーションを貯蓄決済サーバ３０にプラグインするような仕組みであってもよい。
【０３０７】
また、図４０又は図４２に示した各装置の処理の各ステップは、１つの装置で実行する他、複数の装置で分担して実行することができる。さらに、１つのステップに複数の処理が含まれる場合には、その１つのステップに含まれる複数の処理は、１つの装置で実行する他、複数の装置で分担して実行することができる。
【０３０８】
なお、本技術は、以下のような構成をとることができる。
【０３０９】
（１）
ユーザの貯蓄又は決済に関する貯蓄決済情報、及び前記ユーザの行動に応じた行動履歴情報に基づいて、イベントごとに、そのイベントでの入出金に関する入出金情報と、前記入出金に関連する関連情報を時系列で表示する制御を行う表示制御部を備える
情報処理装置。
（２）
前記表示制御部は、前記入出金情報と前記関連情報を時系列に並べて帯状に表示する
前記（１）に記載の情報処理装置。
（３）
前記関連情報は、決済に関連した決済関連情報、前記イベントに関連したイベント関連情報、日時に関連する日時関連情報、場所に関連する場所関連情報、及び乗り物に関連する乗り物関連情報のうち少なくとも１つの情報を含む
前記（１）又は（２）に記載の情報処理装置。
（４）
前記表示制御部は、前記関連情報を、テキスト、画像、若しくは動画、又はそれらの組み合わせにより表示する
前記（３）に記載の情報処理装置。
（５）
前記イベントは、同一のグループに属する複数のユーザが参加可能であり、
前記表示制御部は、前記複数のユーザごとに、前記入出金情報と前記関連情報を時系列に表示する
前記（１）乃至（４）のいずれかに記載の情報処理装置。
（６）
前記入出金情報は、前記複数のユーザで共通な共通出金情報と、前記複数のユーザごとに固有な固有出金情報を含む
前記（５）に記載の情報処理装置。
（７）
前記共通出金情報は、前記複数のユーザにより合計額を割り勘した金額に関する割り勘情報を含む
前記（６）に記載の情報処理装置。
（８）
前記表示制御部は、所定のグループに属するユーザに対し、同一のグループ内の他のユーザの前記入出金情報と前記関連情報を時系列に表示する
前記（５）に記載の情報処理装置。
（９）
前記入出金情報と前記関連情報は、編集可能である
前記（１）乃至（８）のいずれかに記載の情報処理装置。
（１０）
前記入出金情報と前記関連情報は、前記イベントごとに、他のユーザと共有可能である
前記（１）乃至（９）のいずれかに記載の情報処理装置。
（１１）
前記他のユーザの前記入出金情報と前記関連情報は、前記イベントごとに検索可能である
前記（１０）に記載の情報処理装置。
（１２）
前記ユーザの行動は、前記決済により特定可能である
前記（１）乃至（１１）のいずれかに記載の情報処理装置。
（１３）
前記イベントは、提供されるサービスごとに異なり、
前記決済は、前記サービスに加入した前記ユーザの専用の口座で行われる
前記（１２）に記載の情報処理装置。
（１４）
前記サービスは、旅行、音楽のライブ、レンタカー、又は結婚式のサービスを含む
前記（１３）に記載の情報処理装置。
（１５）
表示部をさらに備え
前記表示制御部は、
前記入出金情報と前記関連情報を時系列に並べて帯状に前記表示部に表示し、
前記入出金情報と前記関連情報のすべての情報を前記表示部の画面内に表示できない場合には、前記ユーザの操作に応じてすべての情報を表示可能とする
前記（１）乃至（１４）のいずれかに記載の情報処理装置。
（１６）
情報処理装置が、
ユーザの貯蓄又は決済に関する貯蓄決済情報、及び前記ユーザの行動に応じた行動履歴情報に基づいて、イベントごとに、そのイベントでの入出金に関する入出金情報と、その入出金に関連する関連情報を時系列で表示する制御を行う
情報処理方法。
（１７）
コンピュータを、
ユーザの貯蓄又は決済に関する貯蓄決済情報、及び前記ユーザの行動に応じた行動履歴情報に基づいて、イベントごとに、そのイベントでの入出金に関する入出金情報と、その入出金に関連する関連情報を時系列で表示する制御を行う表示制御部
として機能させるためのプログラム。
（１８）
ユーザの貯蓄又は決済に関する貯蓄決済情報、及び前記ユーザの行動に応じた行動履歴情報に基づいて、イベントごとに、そのイベントでの入出金に関する入出金情報と、その入出金に関連する関連情報を時系列で表示した表示情報を生成する生成部と、
生成した前記表示情報を他の情報処理装置に送信する送信部と
を備える情報処理装置。
（１９）
情報処理装置が、
ユーザの貯蓄又は決済に関する貯蓄決済情報、及び前記ユーザの行動に応じた行動履歴情報に基づいて、イベントごとに、そのイベントでの入出金に関する入出金情報と、その入出金に関連する関連情報を時系列で表示した表示情報を生成し、
生成した前記表示情報を他の情報処理装置に送信する
情報処理方法。
（２０）
コンピュータを、
ユーザの貯蓄又は決済に関する貯蓄決済情報、及び前記ユーザの行動に応じた行動履歴情報に基づいて、イベントごとに、そのイベントでの入出金に関する入出金情報と、その入出金に関連する関連情報を時系列で表示した表示情報を生成する生成部と、
生成した前記表示情報を他の情報処理装置に送信する送信部と
として機能させるためのプログラム。
【符号の説明】
【０３１０】
１  サービス提供システム，  １０，１０−１乃至１０−Ｎ  携帯端末，  １１，１１−１乃至１１−Ｎ  サービスカード，  ２０，２０Ａ  行動履歴サーバ，  ３０  決済サーバ，  ４０  ネットワーク，  １００  処理部，  １０１  メモリ，  １０２  タッチパネル，  １０３  カメラ，  １０４  センサ，  １０５  通信部，  １０６  近接通信部，  １０７  マイクロフォン，  １０８  スピーカ，  １０９  電源部，  １１１  タッチセンサ，  １１２  表示部，  １２１  行動履歴情報取得部，  １２２  貯蓄決済情報取得部，  １２３  画面生成部，  １２４  表示制御部，  ２００，２００Ａ  処理部，  ２０１  メモリ，  ２０２  通信部，  ２０３  ユーザDB，  ２０４  行動履歴DB，  ２２１  行動履歴情報取得部，  ２２２  貯蓄決済情報取得部，  ２２３  画面生成部，  １０００  コンピュータ，  １００１  CPU
【図１】
2020039957.tif 000003
【図２】
2020039957.tif 000004
【図３】
2020039957.tif 000005
【図４】
2020039957.tif 000006
【図５】
2020039957.tif 000007
【図６】
2020039957.tif 000008
【図７】
2020039957.tif 000009
【図８】
2020039957.tif 000010
【図９】
2020039957.tif 000011
【図１０】
2020039957.tif 000012
【図１１】
2020039957.tif 000013
【図１２】
2020039957.tif 000014
【図１３】
2020039957.tif 000015
【図１４】
2020039957.tif 000016
【図１５】
2020039957.tif 000017
【図１６】
2020039957.tif 000018
【図１７】
2020039957.tif 000019
【図１８】
2020039957.tif 000020
【図１９】
2020039957.tif 000021
【図２０】
2020039957.tif 000022
【図２１】
2020039957.tif 000023
【図２２】
2020039957.tif 000024
【図２３】
2020039957.tif 000025
【図２４】
2020039957.tif 000026
【図２５】
2020039957.tif 000027
【図２６】
2020039957.tif 000028
【図２７】
2020039957.tif 000029
【図２８】
2020039957.tif 000030
【図２９】
2020039957.tif 000031
【図３０】
2020039957.tif 000032
【図３１】
2020039957.tif 000033
【図３２】
2020039957.tif 000034
【図３３】
2020039957.tif 000035
【図３４】
2020039957.tif 000036
【図３５】
2020039957.tif 000037
【図３６】
2020039957.tif 000038
【図３７】
2020039957.tif 000039
【図３８】
2020039957.tif 000040
【図３９】
2020039957.tif 000041
【図４０】
2020039957.tif 000042
【図４１】
2020039957.tif 000043
【図４２】
2020039957.tif 000044
【図４３】
2020039957.tif 000045
【国際調査報告】
2020039957.tif 000046
2020039957.tif 000047
2020039957.tif 000048
2020039957.tif 000049